(57)【要約】【課題】  ＬＯＸＬ２の阻害剤のスクリーニング方法の改善。【解決手段】  ＬＯＸＬ２活性の阻害剤を同定する方法であって、該方法は動物を試験分子で処置することを含み、該動物は１又は２以上の線維症の領域を含むこと、及び、線維症の症状を改善する（寛解する）試験分子がＬＯＸＬ２活性の阻害剤として同定されることを特徴とする。【選択図】  なし【特許請求の範囲】
【請求項１】
ＬＯＸＬ２活性の阻害剤を同定する方法であって、該方法は動物を試験分子で処置することを含み、該動物は１又は２以上の線維症の領域を含むこと、及び、線維症の症状を改善する（寛解する）試験分子がＬＯＸＬ２活性の阻害剤として同定されること
を特徴とする方法。
【請求項２】
前記線維症は肝線維症である、請求項１の方法。
【請求項３】
前記線維症はCＣｌ４処置によって誘発される、請求項２の方法。
【請求項４】
前記線維症は肺線維症である、請求項１の方法。
【請求項５】
前記線維症はブレオマイシンによる処置によって誘発される、請求項４の方法。
【請求項６】
ＬＯＸＬ２活性の阻害剤を同定する方法であって、該方法は動物を試験分子で処置することを含み、該動物は１又は２以上の関節炎の領域を含むこと、及び、関節炎の症状を改善する（寛解する）試験分子がＬＯＸＬ２活性の阻害剤として同定されること
を特徴とする方法。
【請求項７】
前記関節炎はコラーゲンの注入によって誘発される、請求項６の方法。
【請求項８】
ＬＯＸＬ２活性の阻害剤を同定する方法であって、該方法は動物を試験分子で処置することを含み、該動物は腫瘍細胞の外科的同所（正位）移植により生成される１又は２以上の実験的腫瘍を含むこと、及び、腫瘍体積を減少する試験分子がＬＯＸＬ２活性の阻害剤として同定されること
を特徴とする方法。
【請求項９】
前記腫瘍細胞はＭＤＡ−ＭＢ４３５細胞である、請求項８の方法。
【請求項１０】
前記実験的腫瘍は肺腫瘍である、請求項８の方法。
【請求項１１】
ＬＯＸＬ２活性の阻害剤を同定する方法であって、該方法は動物を試験分子で処置することを含み、該動物は腫瘍細胞の血管内注入により生成される実験的転移を含むこと、及び、転移の程度を減少する試験分子がＬＯＸＬ２活性の阻害剤として同定されること
を特徴とする方法。
【請求項１２】
前記腫瘍細胞はＭＤＡ−ＭＢ２３１細胞である、請求項１１の方法。
【請求項１３】
ＬＯＸＬ２活性の阻害剤を同定する方法であって、該方法は動物を試験分子で処置することを含み、該動物は外来性基底膜を含むこと、及び、該外来性基底膜の脈管形成を減少する試験分子がＬＯＸＬ２活性の阻害剤として同定されること
を特徴とする方法。
【請求項１４】
前記外来性基底膜はマトリゲルを含む、請求項１３の方法。
【請求項１５】
ＬＯＸＬ２活性の阻害剤を同定する方法であって、該方法は動物を試験分子で処置することを含み、該動物は１又は２以上の線維形成（desmoplasia）の領域を含むこと、及び、線維形成の症状を改善する（寛解する）試験分子がＬＯＸＬ２活性の阻害剤として同定されること
を特徴とする方法。
【請求項１６】
線維形成の症状の改善（寛解）はコラーゲン架橋結合の減少によって示される、請求項１５の方法。
【請求項１７】
線維形成の症状の改善（寛解）はα−平滑筋アクチンの発現の減少によって示される、請求項１５の方法。
【請求項１８】
前記試験分子はポリペプチドである、請求項１、６、８、１１、１３又は１５の何れかの方法。
【請求項１９】
前記ポリペプチドは抗体である、請求項１８の方法。
【請求項２０】
前記抗体は抗ＬＯＸＬ２抗体である、請求項１９の方法。
【請求項２１】
前記試験分子は核酸である、請求項１、６、８、１１、１３又は１５の何れかの方法。
【請求項２２】
前記核酸はｓｉＲＮＡである、請求項２１の方法。
【発明の詳細な説明】
【関連出願の相互参照】
【０００１】
この出願は、２００９年８月２１日に出願された米国仮出願第61/235,846号の利益を主張する。なお、該仮出願はあらゆる目的のためにその全内容が引用をもって本願に組み込まれる。
【０００２】
この出願は、２００９年８月２１日に出願された（本願と）同一出願人による（co-owned）米国仮出願第61/235,852号及びこれと同日に出願された同一出願人による米国出願、表題「治療方法及び組成物」、代理人整理番号ＡＲＢＳ−０１１、依頼人（出願人）整理番号Ａ１１−ＵＳ１に関連する。なお、これらの出願の開示はあらゆる目的のためにそれらの全内容が引用をもって本願に組み込まれる。
【０００３】
［連邦政府の支援に関する陳述］
適用無し。
【技術分野】
【０００４】
本願の開示は、例えば癌及び線維症を含む、結合組織が関与する種々の疾患の治療のための分子の同定に有用なスクリーニングアッセイの分野にある。
【背景技術】
【０００５】
異種移植及び外科的同所（正位）移植を含む多くのインビボアッセイが、腫瘍形成及び転移の研究に使用されてきた。また、化学的に誘発される線維症の研究のためのインビボモデルシステムも多くある。細胞外マトリクス酵素リシル酸化酵素様タンパク質−２（ＬＯＸＬ２）は、両者のプロセスに関与することが示されている。例えば、WO 2004/047,720（２００４年６月１０日）；US 2006/0127402（２００６年６月１５日）；US 2009/0053224（２００９年２月２６日）；US 2009/0104201（２００９年４月２３日）；Kirschmann et al. (2002) Cancer Research 62:4478-4483 参照。
【先行技術文献】
【特許文献】
【０００６】
【特許文献１】ＷＯ ２００４／０４７７２０
【特許文献２】ＵＳ ２００６／０１２７４０２
【特許文献３】ＵＳ ２００９／００５３２２４
【特許文献４】ＵＳ ２００９／０１０４２０１
【非特許文献】
【０００７】
【非特許文献１】Kirschmann et al. (2002) Cancer Research 62:4478-4483
【発明の概要】
【発明が解決しようとする課題】
【０００８】
従って、リシル酸化酵素様−２酵素は、重要な治療ターゲットの代表例である。それゆえ、ＬＯＸＬ２の阻害剤のスクリーニング方法の改善が望まれる。
【課題を解決するための手段】
【０００９】
本願において開示されているのは、この酵素の線維形成及び線維性活性の阻止に有効なＬＯＸＬ２の阻害剤を同定する種々のインビボアッセイの使用のための方法及び組成物である。従って、本願の開示は以下の形態を提供する：
１．  ＬＯＸＬ２活性の阻害剤を同定する方法であって、該方法は動物を試験分子で処置することを含み、該動物は１又は２以上の線維症の領域を含むこと、及び、線維症の症状を改善する（寛解する）試験分子がＬＯＸＬ２活性の阻害剤として同定されること
を特徴とする方法。
２．  前記線維症は肝線維症である、形態１の方法。
３．  前記線維症はＣＣｌ４処置によって誘発される、形態２の方法。
４．  前記線維症は肺線維症である、形態１の方法。
５．  前記線維症はブレオマイシンによる処置によって誘発される、形態４の方法。
６．  ＬＯＸＬ２活性の阻害剤を同定する方法であって、該方法は動物を試験分子で処置することを含み、該動物は１又は２以上の関節炎の領域を含むこと、及び、関節炎の症状を改善する（寛解する）試験分子がＬＯＸＬ２活性の阻害剤として同定されること
を特徴とする方法。
７．  前記関節炎はコラーゲンの注入によって誘発される、形態６の方法。
８．  ＬＯＸＬ２活性の阻害剤を同定する方法であって、該方法は動物を試験分子で処置することを含み、該動物は腫瘍細胞の外科的同所（正位）移植により生成される１又は２以上の実験的腫瘍を含むこと、及び、腫瘍体積を減少する試験分子がＬＯＸＬ２活性の阻害剤として同定されること
を特徴とする方法。
９．  前記腫瘍細胞はＭＤＡ−ＭＢ４３５細胞である、形態８の方法。
１０．  前記実験的腫瘍は肺腫瘍である、形態８の方法。
１１．  ＬＯＸＬ２活性の阻害剤を同定する方法であって、該方法は動物を試験分子で処置することを含み、該動物は腫瘍細胞の血管内注入により生成される実験的転移を含むこと、及び、転移の程度を減少する試験分子がＬＯＸＬ２活性の阻害剤として同定されること
を特徴とする方法。
１２．  前記腫瘍細胞はＭＤＡ−ＭＢ２３１細胞である、形態１１の方法。
１３．  ＬＯＸＬ２活性の阻害剤を同定する方法であって、該方法は動物を試験分子で処置することを含み、該動物は外来性基底膜を含むこと、及び、該外来性基底膜の脈管形成を減少する試験分子がＬＯＸＬ２活性の阻害剤として同定されること
を特徴とする方法。
１４．  前記外来性基底膜はマトリゲルを含む、形態１３の方法。
１５．  ＬＯＸＬ２活性の阻害剤を同定する方法であって、該方法は動物を試験分子で処置することを含み、該動物は１又は２以上の線維形成（desmoplasia）の領域を含むこと、及び、線維形成の症状を改善する（寛解する）試験分子がＬＯＸＬ２活性の阻害剤として同定されること
を特徴とする方法。
１６．  線維形成の症状の改善（寛解）はコラーゲン架橋結合の減少によって示される、形態１５の方法。
１７．  線維形成の症状の改善（寛解）はα−平滑筋アクチンの発現の減少によって示される、形態１５の方法。
１８．  前記試験分子はポリペプチドである、形態１、６、８、１１、１３又は１５の何れかの方法。
１９．  前記ポリペプチドは抗体である、形態１８の方法。
２０．  前記抗体は抗ＬＯＸＬ２抗体である、形態１９の方法。
２１．  前記試験分子は核酸である、形態１、６、８、１１、１３又は１５の何れかの方法。
２２．  前記核酸はｓｉＲＮＡである、形態２１の方法。
【発明を実施するための形態】
【００１０】
（詳細な説明）
本願開示の実施は、別段の定めがない限り、細胞生物学、毒物学、分子生物学、分子化学、細胞培養、免疫学、腫瘍学、組み換えＤＮＡの分野及び当該技術の知見の及ぶ範囲内の関連分野における標準的方法及び伝統的技術を採用する。そのような技術は、文献に記載されており、それ故、当業者に利用可能である。例えば、Alberts, B. et al., "Molecular Biology of the Cell," 第５版, Garland Science, New York, NY, 2008; Voet, D. et al. "Fundamentals of Biochemistry: Life at the Molecular Level,"第３版, John Wiley & Sons, Hoboken, NJ, 2008; Sambrook, J. et al., "Molecular Cloning: A Laboratory Manual,"第３版, Cold Spring Harbor Laboratory Press, 2001; Ausubel, F. et al., "Current Protocols in Molecular Biology," John Wiley & Sons, New York, 1987及び定期的な更新; Freshney, R.I., "Culture of Animal Cells: A Manual of Basic Technique,"第４版, John Wiley & Sons, Somerset, NJ, 2000; 及び"Methods in Enzymology," Academic Press, San Diego, CAのシリーズ参照。
【００１１】
ＬＯＸＬ２阻害剤のインビボアッセイ
【００１２】
線維症、腫瘍線維形成及び腫瘍間質の線維芽細胞活性化におけるリシル酸化酵素様−２タンパク質（ＬＯＸＬ２）の役割については最近説明がなされている。２００９年８月２１日に出願された同一出願人による米国出願第61/235,852号及びこれと同日に出願された同一出願人による出願、表題「治療方法及び組成物」、米国出願第  号、代理人整理番号ＡＲＢＳ−０１１、依頼人（出願人）整理番号Ａ１１−ＵＳ１参照。上記各出願の開示は、腫瘍形成、転移及び線維症並びにとりわけ線維形成及び線維芽細胞活性化におけるＬＯＸＬ２の役割を説明する目的のためにそれらの全内容が引用を以って本願に組み込まれる。ＬＯＸＬ２の阻害剤の多くは線維形成及び／又は線維症の症状の減少ないし改善（寛解）を達成できないため、より効率的なアッセイが必要とされる。従って、本願に開示されるのは、ＬＯＸＬ２の治療的に有効な阻害剤の同定に有用な多くのインビボアッセイである。これらのアッセイは、任意の試験物質について新規に使用可能であり、また、他の方法によって治療的に有効なものとして同定されているＬＯＸＬ２結合分子（例えば抗ＬＯＸＬ２抗体）のスクリーニングにも使用可能である。
【００１３】
外科的同所（正位：orthotopic）移植（ＳＯＩ）モデル
【００１４】
（本発明の）アッセイは、齧歯類モデル；例えばラット又はマウスにおいて最も便利に実行できるが、任意の哺乳動物モデル系で使用可能である。例えば、試験される腫瘍のタイプに応じて、適切なマウス系統が使用される。多くの目的のために、ヌードマウス（ＮＣｒ：ｎｕ／ｎｕ）が好適である。一般的には、５−６週齢の健康なマウスが使用される。試験される腫瘍に応じて、適切な性が使用される。例えば、オスのマウスは前立腺腫瘍の試験に使用され、メスのマウスは乳房腫瘍の試験に使用される。
【００１５】
腫瘍細胞株から（の）培養細胞の皮下注射によって得られる、実験的腫瘍が最初に樹立される。この目的のために、腫瘍誘導に十分な多くの培養細胞（例えば１−１０×１０６細胞）がマウスの側腹部に皮下注射される。注射用の細胞は、例えば０．１ｍｌのＰＢＳに懸濁され、例えば２７Ｇニードルの１ｍｌツベルクリンシリンジを用いて注射される。実験的腫瘍の樹立に使用される細胞を供給するために、任意の腫瘍細胞株が使用可能であることは、当業者には明らかである。例えば、アメリカンタイプカルチャーコレクション、マナッサス、ヴァージニア州のカタログ参照。
【００１６】
腫瘍サイズが１０−１５ｍｍに達したとき、又は腫瘍が壊死性になったとき、腫瘍は以下のように継代される。腫瘍を切除し、壊死組織を除去し、腫瘍をＭＭ培地において凡そ１−２ｍｍ３のサイズの断片にカットする。一方、動物は、（例えば、Ketaset/Xylazine/PromAce等のケタミンカクテルを用いて）麻酔し、麻酔中に、その側腹部に凡そ０．５ｃｍの長さの切開部を形成する。（上記の）切り刻んだ腫瘍組織の２−３片を切開部に挿入する。切開部を閉鎖し、動物を回復させる。その結果として生成した腫瘍は、同じ方法に従って、腫瘍を切除し、壊死組織を除去し、腫瘍を切り刻み、その小片を新たな宿主に再移植することによって、再継代することもできる。継代は、最大で３回実施される。
【００１７】
同所（正位）移植のために、２回又は３回継代した腫瘍を切除し、壊死組織を除去し、腫瘍を、ＭＭ培地において、１−２ｍｍ３の小片に切り刻む。実験的マウスを、上述のように、麻酔し、実施されるべき手術に適するように配置する。大抵の腹部手術（例えば結腸、膵臓、膀胱、前立腺、卵巣）及び頭頸部腫瘍移植のためには、マウスは仰臥位に固定する。肺、腎臓又は側腹部への移植のためには、マウスは側臥位に固定する。体温は、手術及び術後回復中、例えば等温パッド（例えばDeltaphase Isothermal Pad, Braintree Scientific, Inc., Braintree, MA）を用いて維持する。移植手術中は、標準的な無菌処置を利用する（例えば、ヨウ素及び／又はエチル若しくはイソプロピルアルコールによる所定領域の殺菌）。適切な器官又は組織への腫瘍組織の小片の移植後、切開部を閉鎖し、動物をホメオスタシス及び正常行動の回復について観察する。任意的に、術後感染を阻止するために、抗生物質を投与することもできる（例えば飲料水に０．０００８％アンピシリン）。
【００１８】
単なる一例であるが、外科的同所（正位）移植アッセイを提供するために、乳房腫瘍は以下のように移植される。雌性マウスの第２乳頭の内側に沿って小切開部を形成する。皮下乳房脂肪体を鈍的切開（Blunt Dissection）によって露出し、脂肪体に小さな切り口を形成し、この切り口を鈍的に拡張して小ポケットを形成する。上述のように調製した、切り刻んだ乳房腫瘍組織の２−３片を、８−０ナイロン縫合糸を用いて該小ポケットに縫合し、６−０絹縫合糸を用いて切開部を閉鎖する。
【００１９】
既述の通り、ＳＯＩアッセイは、任意の動物モデル系、例えば哺乳動物、において実施することができる。マウス系は単なる例示目的で本願において説明されているに過ぎない。
【００２０】
線維芽細胞と腫瘍細胞の共培養の異種移植
【００２１】
腫瘍関連線維形成のモデル系を提供するために、腫瘍細胞と線維芽細胞をマウスに同時注入する。マウス異種移植モデル系（複数）は当業者には既知であり、多くのマウスモデル系が本願の「実施例」の項において説明されている。このアッセイで使用する腫瘍細胞には、ＨＴ２９（結腸腺癌から樹立された細胞株）、ＭＤＡ−ＭＢ−２３１（乳腺癌から樹立された細胞株）、ＭＤＡ−ＭＢ−４３５（メラノーマから樹立された細胞株）、ＳＫＯＶ３（卵巣腫瘍から樹立された細胞株）及びＢｘＰＣ３（膵臓腫瘍から樹立された細胞株）が含まれるが、これらに限定されない。典型的な線維芽細胞は、ヒト包皮線維芽細胞（ＨＦＦ）及びＮＩＨ ３Ｔ３細胞である。
【００２２】
線維芽細胞及び腫瘍細胞は、何れも培地で増殖させて、収集し、細胞数を測定し、これらの線維芽細胞及び腫瘍細胞を１：１（細胞：細胞）の割合で混合する。細胞混合物を試験動物に（例えば、マウス、必要に応じて、ヌードマウス等の免疫不全マウス、の側腹部への皮下注射によって）接種する。試験化合物の存在下及び非存在下において腫瘍増殖及び必要に応じて転移を観察し、例えばコラーゲン沈着、コラーゲン架橋結合、線維芽細胞活性化、脈管形成、血管新生等のようなプロセスに対する試験化合物の効果を評価する。
【００２３】
線維芽細胞活性化
【００２４】
腫瘍線維形成は線維芽細胞活性化から生じることがあり、正常な線維芽細胞が「腫瘍関連線維芽細胞」又は「筋線維芽細胞」に変換される。腫瘍関連線維芽細胞（ＴＡＦｓ）はその産生及び／又は表１０（実施例１２参照）に記載した因子を含む多くの因子の分泌に基づいて同定することができる。これらのマーカーの任意の１つ又は任意の組合せの発現は、本願に記載した任意のインビボアッセイにおいて終点として利用することができる。
【００２５】
血管新生（angiogenesis）アッセイ
【００２６】
インビボ血管新生アッセイに関する情報は、Auerbach et al. (2003) Clinical Chemistry 49:32-40及びNorrby (2006) J. Cell. Mol. Med. 10:588-612に見出すことができる；これらの文献の開示は血管新生アッセイを説明する目的のためにそれらの全内容が引用を以って本願に組み込まれる。更に、２００９年８月２１日に出願された同一出願人による米国仮出願第61/235,796号及びこれと同日に出願された同一出願人による米国特許出願、表題「インビボスクリーニングアッセイ」、代理人整理番号ARBS-013、依頼人（出願人）整理番号A13-US1も参照；これらの開示はあらゆる目的のためにその全内容が引用を以って本願に組み込まれる。
【００２７】
リシル酸化酵素型酵素  
【００２８】
本願で使用される場合、用語「リシル酸化酵素型酵素」は、とりわけ、リシン及びヒドロキシリシン残基のε‐アミノ基の酸化的脱アミノ化を触媒し、かくして、ペプチジルリシンをペプチジル‐α‐アミノアジピック‐δ−セミアルデヒド（アリシン）に変換し、化学量論的量のアンモニア及び過酸化水素を放出するタンパク質のファミリーのメンバーをいうものとする：
2013502589.tif 000002
【００２９】
この反応は、ほとんどの場合、細胞外のコラーゲン及びエラスチンのリシン残基に生じる。アリシンのアルデヒド残基は、活性であり、また、他のアリシン及びリシン残基と自発的に凝集し、かくして、コラーゲン分子を架橋してコラーゲン原繊維を形成する。
【００３０】
リシル酸化酵素型酵素は、ニワトリ、ラット、マウス、ウシ及びヒトから精製されてきた。すべてのリシル酸化酵素型酵素は、当該タンパク質のカルボキシ末端部分に位置しかつ当該酵素の活性部位を含む、凡そ２０５アミノ酸の長さの共通の触媒ドメインを含む。活性部位は、Ｃｕ（ＩＩ）原子と配位結合する４つのヒスチジン残基を含む保存アミノ酸配列を含む銅結合部位を含む。活性部位はまた、リシン残基とチロシン残基（ラットリシル酸化酵素のｌｙｓ３１４及びｔｙｒ３４９、ヒトリシル酸化酵素のｌｙｓ３２０及びｔｙｒ３５５に対応）の間の分子内共有結合により形成されるリシルチロシルキノン（ＬＴＱ）補因子を含む。ＬＴＱ補因子を形成するチロシン残基を取り囲む配列はまた、（種々の）リシル酸化酵素型酵素間で保存される。触媒ドメインはまた、５個のジスルフィド結合の形成に関与する１０個の保存システイン残基を含む。触媒ドメインはまた、フィブロネクチン結合ドメインを含む。最後に、成長因子及びサイトカインレセプタードメインに類似し４個のシステイン残基を含むアミノ酸配列が、触媒ドメインに存在する。これらの保存領域が存在するにも関わらず、異なるリシル酸化型酵素は、異なるヌクレオチド配列及びアミノ酸配列の領域のために、それらの触媒ドメインの内部及び外側の両方において、互いに区別することができる。
【００３１】
単離されかつ特徴付けらるべきこの酵素ファミリーの最初のメンバーは、タンパク質‐リシン６‐酸化酵素、タンパク質‐Ｌ‐リシン：酸素‐６‐酸化還元酵素（脱アミノ化）又はＬＯＸとしても知られているリシル酸化酵素（EC 1.4.3.13）であった。例えば、Harris et al., Biochim. Biophys. Acta 341:332-344 (1974); Rayton et al. J. Biol. Chem. 254:621-626 (1979); Stassen, Biophys. Acta 438:49-60 (1976) 参照。
【００３２】
更なるリシル酸化酵素型酵素が続いて発見された。これらのタンパク質は「ＬＯＸ様」又は「ＬＯＸＬ」と称されている。これらは全て、上記の共通の触媒ドメインを含み、類似の酵素的活性を有する。これまでのところ、５つの異なるリシル酸化酵素型酵素が、ヒトとマウスの両方に存在することが知られている。これらの酵素は、ＬＯＸ及び４つのＬＯＸ関連ないしＬＯＸ様タンパク質であるＬＯＸＬ１（これらは「リシル酸化酵素様」「ＬＯＸＬ」又は「ＬＯＬ」とも称される）、ＬＯＸＬ２（これは「ＬＯＲ−１」とも称される）、ＬＯＸＬ３（これは「ＬＯＲ−２」とも称される）及びＬＯＸＬ４である。これらの５つの異なるリシル酸化酵素型酵素をコードする各遺伝子は、異なる染色体上に存在する。例えば、Molnar et al., Biochim Biophys Acta. 1647:220- 24 (2003); Csiszar, Prog. Nucl. Acid Res. 70:1-32 (2001); ２００１年１１月８日に公開されたWO 01/83702、及び米国特許第6,300,092号参照（これらは全て引用を以って本願に組み込まれる）。ＬＯＸＬ４といくつかの類似性を有するが、異なる発現パターンを有する、ＬＯＸＣと呼ばれるＬＯＸ様タンパク質は、マウスＥＣ細胞株から単離されている。Ito et al. (2001) J. Biol. Chem. 276:24023-24029参照。２つのリシル酸化酵素型酵素ＤｍＬＯＸＬ−１及びＤｍＬＯＸＬ−２は、ショウジョウバエから単離されている。
【００３３】
リシル酸化酵素型酵素はすべて共通の触媒ドメインを共有しているにも拘わらず、こられらはまた、特にそれらのアミノ末端領域において、互いに異なる。ＬＯＸと比べると、４つのＬＯＸＬタンパク質はアミノ末端伸長を有する。従って、ヒトプレプロＬＯＸ（即ち、シグナル配列開裂前の一次翻訳産物、以下参照）は、４１７個のアミノ酸残基を含み、ＬＯＸＬ１は５７４個（のアミノ酸残基）を含み、ＬＯＸＬ２は６３８個（のアミノ酸残基）を含み、ＬＯＸＬ３は７５３個（のアミノ酸残基）を含み及びＬＯＸＬ４は７５６個（のアミノ酸残基）を含む。
【００３４】
ＬＯＸＬ２、ＬＯＸＬ３及びＬＯＸＬ４は、それらのアミノ末端領域の内部において、スカベンジャーレセプターシステインリッチ（ＳＲＣＲ）ドメインの４つの繰り返しを含む。これらのドメインは、ＬＯＸ又はＬＯＸＬ１には存在しない。ＳＲＣＲドメインは、分泌型、膜貫通型又は細胞外マトリクスタンパク質に見られ、幾つかの分泌型及びレセプタータンパク質におけるリガンド結合を媒介することが知られている。Hoheneste et al. (1999) Nat. Struct. Biol. 6:228-232; Sasaki et al. (1998) EMBO J. 17:1606-1613参照。ＬＯＸＬ３は、そのＳＲＣＲドメインに加えて、核局在シグナルをそのアミノ末端領域に含む。プロリンリッチドメインはＬＯＸＬ１に特有であると思われる。Molnar et al. (2003) Biochim. Biophys. Acta 1647:220-224参照。様々なリシル酸化酵素型酵素はまた、それらのグリコシル化パターンの点でも異なる。
【００３５】
組織分布もまた、リシル酸化酵素型酵素間で異なる。ヒトＬＯＸｍＲＮＡは、心臓、胎盤、睾丸、肺、腎臓及び子宮において高発現するが、脳及び肝臓における発現は僅かである。ヒトＬＯＸＬ１のｍＲＮＡは、胎盤、腎臓、筋肉、心臓、肺及び膵臓において発現し、ＬＯＸと同様に、脳及び肝臓における発現レベルははるかにより小さい。Kim et al. (1995) J. Biol. Chem. 270:7176-7182参照。ＬＯＸＬ２ｍＲＮＡは子宮、胎盤及び他の器官において高レベルで発現するが、ＬＯＸ及びＬＯＸＬと同様に、脳及び肝臓における発現レベルは小さい。Jourdan Le-Saux et al.(1999) J. Biol. Chem. 274:12939:12944参照。ＬＯＸＬ３ｍＲＮＡは、睾丸、脾臓及び前立腺において高発現し、胎盤においては、中程度に発現し、肝臓では発現しない。他方、ＬＯＸＬ４ｍＲＮＡの高レベル（の発現）が肝臓において観察される。Huang et al. (2001) Matrix Biol. 20:153-157、Maki and Kivirikko (2001) Biochem. J. 355:381-387; Jourdan Le-Saux et al. (2001) Genomics 74:211-218; Asuncion et al. (2001) Matrix Biol. 20:487-491参照。
【００３６】
異なるリシル酸化酵素型酵素の発現及び／又は関与も疾病に応じて異なる。例えば、Kagan (1994) Pathol. Res. Pract. 190:910-919; Murawaki et al. (1991) Hepatology 14:1167-1173; Siegel et al. (1978) Proc. Natl. Acad. Sci. USA 75:2945-2949; Jourdan Le-Saux et al. (1994) Biochem. Biophys. Res. Comm. 199:587-592; 及び Kim et al. (1999) J. Cell Biochem. 72:181-188参照。リシル酸化酵素型酵素はまた、頭頸部癌、膀胱癌、大腸癌、食道癌及び乳癌を含む幾つかの癌における関与も示唆されている。例えば、Wu et al. (2007) Cancer Res. 67:4123-4129; Gorough et al. (2007) J. Pathol. 212:74-82; Csiszar (2001) Prog. Nucl. Acid Res. 70:1-32及び、Kirschmann et al. (2002) Cancer Res. 62:4478-4483参照。
【００３７】
従って、リシル酸化酵素型酵素は、構造及び機能においていくつかの重なりを示すが、それぞれ異なる構造及び機能も有する。構造に関していえば、例えば、ＬＯＸの触媒ドメインに対して産生される幾つかの抗体はＬＯＸＬ２に結合しない。機能に関していえば、ＬＯＸの標的除去はマウスにおいて出産の際に致死的であると思われるが、他方、ＬＯＸＬ１の欠損は深刻な発達表現型を引き起こさないことが報告されている。Hornstra et al. (2003) J. Biol. Chem. 278:14387-14393; Bronson et al. (2005) Neurosci. Lett. 390:118-122参照。
【００３８】
最も広く報告されているリシル酸化酵素型酵素の活性は細胞外のコラーゲン及びエラスチンにおける特定のリシン残基の酸化であるが、リシル酸化酵素型酵素がいくつかの細胞内プロセスにも関与することについての証拠がある。例えば、いくつかのリシル酸化型酵素は遺伝子発現を制御することについての報告がある。Li et al. (1997) Proc. Natl. Acad. Sci. USA 94:12817-12822; Giampuzzi et al. (2000) J. Biol. Chem. 275:36341-36349参照。更に、ＬＯＸはヒストンＨ１におけるリシン残基を酸化することが報告されている。ＬＯＸの更なる細胞外活性は、単核球、繊維芽細胞及び平滑筋細胞の走化性の誘導を含む。Lazarus et al. (1995) Matrix Biol. 14:727-731; Nelson et al. (1988) Proc. Soc. Exp. Biol. Med. 188:346-352参照。ＬＯＸ自体の発現は、ＴＧＦ‐β、ＴＮＦ‐α及びインターフェロンのようないくつかの増殖因子及びステロイドにより誘導される。Csiszar (2001) Prog. Nucl. Acid Res. 70:1-32参照。近年の研究によれば、ＬＯＸには、発生調節、腫瘍抑制、細胞運動性及び細胞老化のような種々の生物学的機能における他の役割があるとされている。
【００３９】
様々な材料由来のリシル酸化酵素（ＬＯＸ）タンパク質の例は、次の配列の１つから発現又は翻訳されるポリペプチドと実質的に同一（相同）であるアミノ酸配列を有する酵素を含む：EMBL/GenBank受託番号: M94054；AAA59525.1−−mRNA；S45875；AAB23549.1−mRNA；S78694；AAB21243.1−mRNA；AF039291；AAD02130.1−mRNA；BC074820；AAH74820.1−mRNA；BC074872；AAH74872.1−mRNA；M84150；AAA59541.1――ゲノムDNA。ＬＯＸの１つの実施形態は、ヒトリシル酸化酵素（ｈＬＯＸ）プレプロタンパク質である。
【００４０】
リシル酸化酵素様酵素をコードする配列の例示的な開示は次の通りである：ＬＯＸＬ１はGenBank/EMBL BC015090；AAH15090.1で寄託されたｍＲＮＡによってコードされる；ＬＯＸＬ２はGenBank/EMBL U89942で寄託されたｍＲＮＡによってコードされる；ＬＯＸＬ３はGenBank/EMBL AF282619；AAK51671.1で寄託されたｍＲＮＡによってコードされる；及びＬＯＸＬ４はGenBank/EMBL AF338441；AAK71934.1で寄託されたｍＲＮＡによってコードされる。
【００４１】
プレプロペプチドとして知られるＬＯＸタンパク質の一次翻訳産物はアミノ酸１−２１から伸長するシグナル配列を含む。このシグナル配列は、マウス及びヒトＬＯＸの両方において、Ｃｙｓ２１とＡｌａ２２の間の開裂によって細胞内に放出されて、４６−４８ｋＤａのプロペプチド形態のＬＯＸを生じるが、これは本願において全長形態と称することもある。プロペプチドは、ゴルジ体を通過する間にＮ−グリコシル化されて５０ｋＤａタンパク質を生じ、続いて、細胞外環境に分泌される。この段階においては、該タンパク質は触媒的に不活性である。マウスＬＯＸにおけるＧｌｙ１６８とＡｓｐ１６９の間での更なる開裂及びヒトＬＯＸにおけるＧｌｙ１７４とＡｓｐ１７５の間での更なる開裂によって、成熟した、酵素的に活性な、３０−３２ｋＤＡの酵素が生じ、１８ｋＤａのプロペプチドを放出する。この最後の開裂事象は、骨（形態）形成タンパク質−１（ＢＭＰ−１）としても知られる、メタロエンドプロテアーゼプロコラーゲンＣ−プロテイナーゼによって触媒される。興味深いことに、この酵素はまた、ＬＯＸの基質であるコラーゲンのプロセシングにおいても機能する。Ｎ−グリコシル化ユニットは、その後除去される。
【００４２】
シグナルペプチド開裂部位候補（潜在的シグナルペプチド開裂部位）は、ＬＯＸＬ１、ＬＯＸＬ２、ＬＯＸＬ３及びＬＯＸＬ４のアミノ末端に存在することが予測されている。予測シグナル開裂部位は、ＬＯＸＬ１のＧｌｙ２５とＧｌｎ２６の間、ＬＯＸＬ２のＡｌａ２５とＧｌｎ２６の間、ＬＯＸＬ３のＧｌｙ２５とＳｅｒ２６の間及びＬＯＸＬ４のＡｒｇ２３とＰｒｏ２４の間に存在する。
【００４３】
ＬＯＸＬ１タンパク質におけるＢＭＰ−１開裂部位は、Ｓｅｒ３５４とＡｓｐ３５５の間に同定されている。Borel et al. (2001) J. Biol. Chem.276:48944-48949参照。他のリシル酸化酵素型酵素におけるＢＭＰ−１開裂部位候補は、Ａｌａ／Ｇｌｙ‐Ａｓｐの配列（これには、しばしば酸性又は荷電残基が続く）にある、プロコラーゲン及びプロ‐ＬＯＸにおけるＢＭＰ−１開裂のコンセンサス配列に基づいて、予測されている。ＬＯＸＬ３における予測ＢＭＰ−１開裂部位はＧｌｙ４４７とＡｓｐ４４８の間に位置するが、この部位でのプロセシングによって、成熟ＬＯＸと類似する大きさの成熟ペプチドが生じ得る。ＢＭＰ−１の開裂部位候補はまた、ＬＯＸＬ４の内部の、残基Ａｌａ５６９とＡｓｐ５７０の間においても同定された。Kim et al. (2003) J. Biol. Chem. 278:52071-52074参照。ＬＯＸＬ２もまた、ＬＯＸＬファミリーの他のメンバーと同様にタンパク質分解的に開裂され、分泌され得る。Akiri et al.(2003) Cancer Res. 63:1657-1666参照。
【００４４】
リシル酸化酵素型酵素は、活性部位が高度に保存される（凡そ９５％）プロ酵素（酵素前駆体）のＣ末端３０ｋＤａ領域の配列を有する、当該リシル酸化酵素型酵素における共通の触媒ドメインを共有する。中高程度の保存（凡そ６０−７０％）はプロペプチドドメインにおいて観察される。
【００４５】
本願の開示の目的において、用語「リシル酸化酵素型酵素」は、上述の５つのリシン酸化酵素（ＬＯＸ、ＬＯＸＬ１、ＬＯＸＬ２、ＬＯＸＬ３及びＬＯＸＬ４）の全てを含み、更に、酵素活性例えばリシル残基の脱アミノ化を触媒する能力を実質的に保持するＬＯＸ、ＬＯＸＬ１、ＬＯＸＬ２、ＬＯＸＬ３及びＬＯＸＬ４の機能的フラグメント及び／又は誘導体も含む。典型的には、機能的フラグメント又は誘導体は、そのリシン酸化活性の少なくとも５０％を保持する。幾つかの実施形態では、機能的フラグメント又は誘導体は、そのリシン酸化活性の少なくとも６０％、少なくとも７０％、少なくとも８０％、少なくとも９０％、少なくとも９５％、少なくとも９９％又は１００％を保持する。
【００４６】
リシル酸化酵素型酵素の機能的フラグメントが触媒活性を実質的に変化させない（天然のポリペプチド配列に関する）保存的アミノ酸置換を含み得ることも意図されている。用語「保存的アミノ酸置換」は、ある一定の共通の構造及び／又は特性に基づくアミノ酸のグループ化（grouping）を意味する。共通の構造に関していえば、アミノ酸は、非極性側鎖を有するアミノ酸（グリシン、アラニン、バリン、ロイシン、イソロイシン、メチオニン、プロリン、フェニルアラニン及びトリプトファン）、非荷電極性側鎖を有するアミノ酸（セリン、トレオニン、アスパラギン、グルタミン、チロシン及びシステイン）及び荷電極性側鎖を有するアミノ酸（リシン、アルギニン、アスパラギン酸、グルタミン酸及びヒスチジン）にグループ化されることができる。芳香族側鎖を含むアミノ酸のグループは、フェニルアラニン、トリプトファン及びチロシンを含む。複素環側鎖は、プロリン、トリプトファン及びヒスチジンに存在する。非極性側鎖を含むアミノ酸のグループの中では、短い炭化水素側鎖を有するアミノ酸（グリシン、アラニン、バリン、ロイシン、イソロイシン）は、より長い非炭化水素側鎖を有するアミノ酸（メチオニン、プロリン、フェニルアラニン、トリプトファン）から区別されることができる。荷電極性側鎖を有するアミノ酸のグループの中では、酸性アミノ酸（アスパラギン酸、グルタミン酸）は、塩基性側鎖を有するアミノ酸（リシン、アルギニン及びヒスチジン）から区別されることができる。
【００４７】
個々のアミノ酸の共通の特性を定義するための機能的な方法は、相同の（homologous）生物の対応するタンパク質の間のアミノ酸変化の正規化された頻度を解析することである。Schulz, G. E. and R. H. Schirmer, Principles of Protein Structure, Springer-Verlag, 1979参照。そのような解析によって、１つのグループ内のアミノ酸（複数）が相同タンパク質において互いに優先的に（選択的に）置換され、それゆえタンパク質構造全体に類似の影響を及ぼすアミノ酸のグループ（複数）を定義することができる。Schulz, G. E. and R. H. Schirmer, Principles of Protein Structure, Springer-Verlag, 1979参照。この種の解析によって、以下に示す互いに保存的に置換可能なアミノ酸のグループを同定することができる：
（ｉ）Ｇｌｕ、Ａｓｐ、Ｌｙｓ、Ａｒｇ及びＨｉｓからなる荷電基を含むアミノ酸；
（ｉｉ）Ｌｙｓ、Ａｒｇ及びＨｉｓからなる正荷電基を含むアミノ酸；
（ｉｉｉ）Ｇｌｕ及びＡｓｐからなる負荷電基を含むアミノ酸；
（ｉｖ）Ｐｈｅ、Ｔｙｒ及びＴｒｐからなる芳香族基を含むアミノ酸；
（ｖ）Ｈｉｓ及びＴｒｐからなる窒素環基を含むアミノ酸；
（ｖｉ）Ｖａｌ、Ｌｅｕ及びＩｌｅからなる大きな脂肪族非極性基を含むアミノ酸；
（ｖｉｉ）Ｍｅｔ及びＣｙｓからなる僅かに極性な基を含むアミノ酸；
（ｖｉｉｉ）Ｓｅｒ、Ｔｈｒ、Ａｓｐ、Ａｓｎ、Ｇｌｙ、Ａｌａ、Ｇｌｕ、Ｇｌｎ及びＰｒｏからなる小さい残基の基を含むアミノ酸；
（ｉｘ）Ｖａｌ、Ｌｅｕ、Ｉｌｅ、Ｍｅｔ及びＣｙｓからなる脂肪族基を含むアミノ酸；及び
（ｘ）Ｓｅｒ及びＴｈｒからなるヒドロキシル基を含むアミノ酸。
【００４８】
従って、上に例示したように、アミノ酸の保存的置換は、当業者には既知であり、一般的にその結果として生じる分子の生物学的活性を変化することなく行なうことができる。また、当業者であれば、一般的に、ポリペプチドの非本質的領域における単一のアミノ酸置換は生物学的活性を実質的に変化しないことも分かる。例えば、Watson, et al., "Molecular Biology of the Gene,"第４版, 1987, The Benjamin/Cummings Pub. Co., Menlo Park, CA, 224頁参照。
【００４９】
リシル酸化酵素型酵素に関する更なる情報については、例えば、Rucker et al. (1998) Am. J. Clin. Nutr. 67:996S-1002S及びKagan et al. (2003) J. Cell. Biochem 88:660-672参照。更に、同一出願人による米国特許出願公開第2009/0053224号（２００９年２月２６日）及び第2009/0104201号（２００９年４月２３日）も参照。これらの開示は引用を以って本願に組み込まれる。
【００５０】
リシル酸化酵素型酵素の活性のモジュレータ
【００５１】
リシル酸化酵素型酵素の活性のモジュレータは、活性化剤（アゴニスト）及び阻害剤（アンタゴニスト）の両方を含み、様々なスクリーニングアッセイを使用することにより選択することができる。本願の開示は、１又は２以上のリシル酸化酵素型酵素の活性のモジュレータを同定するために有用な多くのインビボアッセイを提供する。
【００５２】
更なる実施形態では、モジュレータは、試験化合物がリシル酸化酵素型酵素に結合するかを確認することにより同定することができるが、この場合、結合が生じれば、その化合物は候補モジュレータとなる。必要に応じ、そのような候補モジュレータに対し付加的な試験を実施することもできる。あるいは、候補化合物をリシル酸化酵素型酵素と接触させて、該リシル酸化酵素型酵素の生物学的活性をアッセイしてもよい；このリシル酸化酵素型酵素の生物学的活性を変化する化合物はリシル酸化酵素型酵素のモジュレータである。一般に、リシル酸化酵素型酵素の生物学的活性を低下する化合物は、その阻害剤である。
【００５３】
リシル酸化酵素型酵素の活性のモジュレータを同定する他の方法は、細胞が１又は２以上のリシル酸化酵素型酵素を含有する細胞培養物中で候補化合物をインキュベートし、該細胞の１又は２以上の生物学的活性又は特性をアッセイすることを含む。培養物中において細胞の生物学的活性又は特性を変化する化合物は、リシル酸化酵素型酵素の活性のモジュレータ候補（潜在的モジュレータ）である。アッセイ可能な生物学的活性には、例えば、リシン酸化、過酸化物生成、アンモニア生成、リシル酸化酵素型酵素のレベル、リシル酸化型酵素をコードするｍＲＮＡのレベル、及び／又は、リシル酸化酵素型酵素に特異的な１又は２以上の機能が含まれる。上記アッセイの更なる実施形態において、候補化合物との接触の非存在下において、１又は２以上の生物学的活性又は細胞特性が、１又は２以上のリシル酸化酵素型酵素のレベル又は活性と関連付けられる。例えば、生物学活性は、遊走、走化性、上皮間葉転換、又は間葉上皮転換のような細胞機能であり得、その変化は、１又は２以上の対照又は基準試料との対比によって検出される。例えば、陰性対照試料としては、候補化合物が添加され低下したレベルのリシル酸化酵素型酵素を含む培養物；又は試験培養物と同じ量のリシル酸化酵素型酵素を含むが候補化合物は添加されていない培養物が含まれ得る。ある実施形態では、異なるレベルのリシル酸化酵素型酵素を含有する別々の培養物が候補化合物と接触される。生物学的活性に変化が観察された場合であって、その変化がより大きいレベルのリシル酸化酵素型酵素を有する培養物における（変化）より大きい場合、該化合物はリシル酸化酵素型酵素の活性のモジュレータとして同定される。化合物がリシル酸化酵素型酵素の活性化剤であるか阻害剤であるかの決定は、当該化合物によって誘導される表現型から明らかとなり得るが、１又は２以上のリシル酸化酵素型酵素の酵素活性に対する当該化合物の効果の試験のような更なるアッセイが必要になることもある。
【００５４】
リシル酸化酵素型酵素を、生化学的に又は組換え技術的に、取得するための方法、並びに上述したようなリシル酸化酵素型酵素の活性のモジュレータを同定するための細胞培養物及び酵素アッセイのための方法は、当業界において既知である。更に、本願と同日に出願された同一出願人による米国特許出願、表題「リシル酸化酵素及びＬＯＸＬ２からの触媒ドメイン」、代理人整理番号ＡＲＢＳ−０１０も参照。
【００５５】
リシル酸化酵素型酵素の酵素活性は、多くの異なる方法によってアッセイすることができる。例えば、リシル酸化酵素の酵素活性は、過酸化水素、アンモニウムイオン及び／又はアルデヒドの生成の検出及び／又は定量によって、リシン酸化及び／又はコラーゲン架橋結合のアッセイによって、又は細胞浸潤能、細胞接着、細胞増殖又は転移増殖の測定によって、評価することができる。例えば、Trackman et al. (1981) Anal. Biochem. 113:336-342; Kagan et al. (1982) Meth. Enzymol. 82A:637-649; Palamakumbura et al. (2002) Anal. Biochem. 300:245-251; Albini et al. (1987) Cancer Res. 47:3239-3245; Kamath et al. (2001) Cancer Res. 61:5933-5940; 米国特許第4,997,854号及び米国特許出願公開第2004／0248871参照。
【００５６】
試験化合物としては、例えば、小さな有機化合物（例えば、凡そ５０〜凡そ２５００Ｄａの分子量を有する有機分子）、核酸又はタンパク質が含まれるが、これらに限定されない。１の化合物又は複数の化合物は、化学的に合成され又は微生物学的に産生され及び／又は、例えば、試料、例えば、植物、動物又は微生物からの細胞抽出物、に含まれ得る。更に、（１又は複数の）化合物は、（それ自体）当業界において既知ではあるが、リシル酸化酵素型酵素の活性をモジュレート（調節）する能力があるものとしては従前は知られていないものであり得る。リシル酸化酵素型酵素のモジュレータについてアッセイするための反応混合物は、無細胞抽出物であり得、又は、細胞培養物又は組織培養物を含むことができる。複数の化合物を、例えば、反応混合物に添加され、培養培地に添加され、細胞に注入され又は遺伝子組み換え動物に投与することもできる。アッセイに採用される細胞又は組織は、例えば、微生物細胞、真菌細胞、昆虫細胞、脊椎動物細胞、哺乳類細胞、霊長類細胞、ヒト細胞であり得、又は、非ヒト遺伝子組み換え動物から構成又は取得され得る。
【００５７】
リシル酸化酵素型酵素のような標的に対して特異的な親和性を有する化合物を同定するための大きなライブラリを作成し及びスクリーニングするための幾つかの方法は当業者には既知である。これらの方法には、無作為化されたペプチドがファージからディスプレイされ（提示され）、固定化されたレセプターを使用したアフィニティクロマトグラフィによってスクリーニングされるファージディスプレイ法が含まれる。例えば、WO 91/17271、WO 92/01047及び米国特許第5,223,409号参照。他の手法では、固相支持体（例えば、「チップ」）上に固定化されたポリマーのコンビナトリアルライブラリがフォトリソグラフィを使用して合成される。例えば、米国特許第5,143,854号、WO 90/15070及びWO 92/10092参照。固定化されたポリマーを標識されたレセプター（例えば、リシル酸化酵素型酵素）と接触させ、支持体をスキャンして標識の位置を決定し、それにより、当該レセプターに結合するポリマーを同定する。
【００５８】
目的のポリペプチド（例えば、リシル酸化酵素型酵素）の結合リガンドを同定するために使用可能な連続的セルロース膜支持体上でのペプチドライブラリの合成及びスクリーニングは、例えば、Kramer (1998) Methods Mol. Biol. 87: 25-39において説明されている。そのようなアッセイによって同定されるリガンドは、目的のタンパク質の候補モジュレータであり、更なる試験のために選択することができる。また、この方法は、例えば、目的のタンパク質における結合部位及び認識モチーフを決定するためにも使用することができる。例えば、Rudiger (1997) EMBO J. 16:1501-1507及びWeiergraber (1996) FEBS Lett. 379:122-126参照。
【００５９】
WO 98/25146は、所望の特性、例えば、ポリペプチド又はその細胞レセプターをアゴナイズ（agonize）し、結合し又はアンタゴナイズ（antagonize）する能力、を有する化合物の複合体のライブラリをスクリーニングするための更なる方法を記載している。そのようなライブラリにおける複合体は、供試化合物、化合物の合成における少なくとも１つのステップ（工程）を記録ないし表示する（recording）タグ、及びレポーター分子による修飾に感受性のテザーを含む。テザーの修飾は、複合体が所望の特性を有する化合物を含むことを示すために使用される。タグは、そのような化合物の合成における少なくとも１つのステップ（工程）を示す（明らかにする）ために解読（decode）され得る。リシル酸化酵素型酵素と相互作用する化合物を同定するための他の方法は、例えば、ファージディスプレイシステムによるインビトロスクリーニング、フィルター結合アッセイ、及び、例えば、ＢＩＡｃｏｒｅ装置（Pharmacia）を使用した相互作用の「リアルタイム」測定である。
【００６０】
これらの方法は全て、本願の開示に従って、リシル酸化酵素型酵素又は関連ポリペプチドの活性化剤／アゴニスト及び阻害剤／アンタゴニストを同定するために使用することができる。
【００６１】
リシル酸化酵素型酵素のモジュレータの合成のための他の手法は、ペプチドの模倣アナログを使用することである。模倣ペプチドアナログは、例えば、天然（に存在する）アミノ酸をステレオイソマー即ちＤ−アミノ酸で置換することによって生成することができる。例えば、Tsukida (1997) J. Med. Chem. 40:3534-3541参照。更に、元のポリペプチドの部分を除去する際に喪失し得る（立体）配座特性を再建（回復）するために前駆模倣成分（pro-mimetic components）をペプチドに組み込むこともできる。例えば、Nachman (1995) Regul. Pept. 57:359-370参照。
【００６２】
ペプチド模倣体（peptide mimetic）を構築するための他の方法は、アキラルＯ−アミノ酸残基をペプチドに組み込むことにより、アミド結合を脂肪族鎖のポリメチレン単位で置換することである。Banerjee (1996) Biopolymers 39:769-777。他のシステムにおける小さなペプチドホルモンの超活性なペプチド模倣アナログについても説明されている。Zhang (1996) Biochem. Biophys. Res. Commun. 224:327-331。
【００６３】
リシル酸化酵素型酵素のモジュレータのペプチド模倣体は、連続的なアミドアルキル化によるペプチド模倣体のコンビナトリアルライブラリを合成し、次いで、得られた化合物を、例えばそれらの結合及び免疫学的特性について試験することによって同定することもできる。ペプチド模倣体のコンビナトリアルライブラリの生成及び使用方法は既に開示されている。例えば、Ostresh, (1996) Methods in Enzymology 267:220-234及びDorner (1996) Bioorg. Med. Chem. 4:709-715参照。更に、１又は２以上のリシル酸化酵素型酵素の３次元及び／又は結晶構造は、１又は２以上のリシル酸化酵素型酵素の活性のペプチド模倣体阻害剤の設計のために使用することができる。Rose (1996) Biochemistry 35:12933-12944; Rutenber (1996) Bioorg. Med. Chem. 4:1545-1558。
【００６４】
天然の生物学的ポリペプチドの活性を模倣する低分子量の合成分子の構造に基づく設計及び合成は、例えば、Dowd (1998) Nature Biotechnol. 16:190-195; Kieber-Emmons (1997) Current Opinion Biotechnol. 8:435-441; Moore (1997) Proc. West Pharmacol. Soc. 40:115-119; Mathews (1997) Proc. West Pharmacol. Soc. 40:121-125及びMukhija (1998) European J. Biochem. 254:433-438に、更に記載されている。
【００６５】
また、例えば、リシル酸化酵素型酵素の基質又はリガンドとして機能できる小さな有機化合物の模倣体を設計、合成、及び評価することが可能であることは当業者には周知である。例えば、ハパロシンのＤ−グルコース模倣体は、細胞毒性において多剤耐性補助関連タンパク質（multidrug resistance assistance-associated protein）をアンタゴナイズする際に、ハパロシンと類似の効率（効力）を示したことが開示されている。Dinh (1998) J. Med. Chem. 41:981-987参照。
【００６６】
リシル酸化酵素型酵素の構造は、例えば、小分子、ペプチド、ペプチド模倣体及び抗体のようなモジュレータの選択を導くために試験することができる。リシル酸化酵素型酵素の構造的特性は、リシル酸化酵素型酵素に結合する、又はリシル酸化酵素型酵素のリガンド、基質、結合相手（binding partner）又はレセプターとして機能する、天然又は合成分子を同定するのに役立ち得る。例えば、Engleman (1997) J. Clin. Invest. 99:2284-2292参照。例えば、リシル酸化酵素型酵素の構造的モチーフのフォールディングシミュレーション及びコンピュータ再設計は、適切なコンピュータプログラムを使用して行うことができる。Olszewski (1996) Proteins 25:286-299; Hoffman (1995) Comput. Appl. Biosci. 11:675-679参照。タンパク質フォールディングのコンピュータモデリングは、詳細なペプチド及びタンパク質構造の立体配座解析及びエネルギ解析に使用することができる。Monge (1995) J. Mol. Biol. 247:995-1012; Renouf (1995) Adv. Exp. Med. Biol. 376:37-45参照。適切なプログラムが、相補的なペプチド配列のコンピュータ支援サーチを使用することにより、リシル酸化酵素型酵素の、リガンド及び結合相手と相互作用する部位の同定に使用することができる。Fassina (1994) Immunomethods 5:114-120。タンパク質及びペプチドの設計のための更なるシステムは、例えば、Berry (1994) Biochem. Soc. Trans. 22:1033-1036; Wodak (1987), Ann. N.Y. Acad. Sci. 501:1-13及びPabo (1986) Biochemistry 25:5987-5991に記載されている。上記の構造解析から得られた結果は、例えば、１又は２以上のリシル酸化酵素型酵素の活性のモジュレータとして機能する有機分子、ペプチド及びペプチド模倣体の調製に使用することができる。
【００６７】
リシル酸化酵素型酵素の阻害剤は、競合的阻害剤、不競合的（uncompetitive）阻害剤、混合型阻害剤又は非競合的（non-competitive）阻害剤であり得る。競合的阻害剤は、しばしば、基質と構造的な類似性を有し、通常、活性部位に結合し、一般的に、より低い基質濃度においてより効果的（有効性が大きい）である。見かけのＫＭは、競合的阻害剤存在下で増加する。不競合的阻害剤は、一般的に、酵素‐基質複合体に、又は基質が活性部位に結合し場合により該活性部位を変形した後に結合可能になる部位に結合する。見かけのＫＭ及びＶｍａｘは何れも、不競合的阻害剤の存在下で減少し、基質濃度は阻害に対し殆ど又は全く効果を及ぼさない。混合型阻害剤は、遊離酵素と酵素‐基質複合体の両方に結合することができ、かくして、基質結合及び触媒活性の両方に影響を及ぼす。非競合的阻害とは、阻害剤が酵素及び酵素‐基質複合体に同等の結合活性（avidity）で結合する混合型阻害の特殊例であり、阻害は基質濃度によって影響されない。非競合的阻害剤は、一般的に、活性部位の外部の領域で酵素と結合する。酵素阻害の更なる詳細については、例えば、上掲Voet et al. (2008)参照。その天然の基質（例えば、コラーゲン、エラスチン）が（インビボにおいて達成可能な任意の阻害剤の濃度と比較して）インビボにおいて通常大過剰に存在する、リシル酸化酵素型酵素のような酵素に対しては、非競合的阻害剤は、阻害が基質濃度から独立であるので、有益である。
【００６８】
抗体
【００６９】
ある実施形態では、リシル酸化酵素型酵素のモジュレータは抗体である。更なる実施形態では、抗体はリシル酸化酵素型酵素の活性の阻害剤である。
【００７０】
本願において使用される場合、用語「抗体」は、抗原エピトープに特異的に結合するペプチド配列（例えば可変領域配列）を含む単離又は組換えポリペプチド結合剤を意味する。この用語は、最広義に使用され、とりわけ、モノクローナル抗体（全長モノクローナル抗体を含む）、ポリクローナル抗体、ヒト抗体、ヒト化抗体、キメラ抗体、単一ドメイン抗体（nanobody）、二重特異性抗体（diabody）、多特異性（multispecific）抗体（例えば二特異性（bispecific）抗体）、及び所望の生物学的活性を示す限りにおいて、Ｆｖ、ｓｃＦＶ、Ｆａｂ、Ｆａｂ’、Ｆ（ａｂ’）２、及びＦａｂ２を含むが、これらに限定されない抗体フラグメントを含む。用語「ヒト抗体」は、潜在的（possible）非ヒトＣＤＲ領域を除くヒト起源の配列を含む抗体をいうが、この用語は、免疫グロブリン分子の全構造が存在することは示唆しておらず、該抗体がヒトにおいて最小の免疫原性効果を有すること（即ち、それ自身に対する抗体の産生を誘導しないこと）のみを示唆している。
【００７１】
「抗体フラグメント」は、全長抗体の部分、例えば、全長抗体の抗原結合ないし可変領域を含む。抗体フラグメントの例としては、Ｆａｂ、Ｆａｂ’、Ｆ（ａｂ’）２、及びＦｖフラグメント；二重特異性抗体（diabody）；線状抗体（linear antibody）（Zapata et al. (1995) Protein Eng. 8(10):1057-1062参照）；単鎖抗体分子；及び複数の抗体フラグメントから形成される多特異性（multispecific）抗体が含まれる。抗体のパパイン消化により、夫々単一の抗原結合部位を有する「Ｆａｂ」と称される２つの同一の抗原結合フラグメントと、残余の「Ｆｃ」フラグメント（この名称は容易に結晶化する能力を反映している）が得られる。ペプシン処理により、２つの抗原結合部位を有し、抗原を架橋する能力を維持しているＦ（ａｂ’）２フラグメントが得られる。
【００７２】
「Ｆｖ」は、完全な抗原認識及び結合部位を含む最小の抗体フラグメントである。この領域は、緊密な非共有結合的結合（会合）状態にある１つの重鎖可変ドメインと１つの軽鎖可変ドメインのダイマーから構成されている。この立体配置において、各可変ドメインの３つのＣＤＲＳ［ｓｉｃ：ＣＤＲ］が該ＶＨ−ＶＬダイマーの表面の抗原結合部位を定義するよう相互作用する。集合的に、６つのＣＤＲが、抗原結合特異性を抗体に与える。しかしながら、単一の可変ドメイン（ないし抗原に特異的な６つのＣＤＲの３つのみを含む単離されたＶＨ又はＶＬ領域）でも、一般的に完全なＦｖフラグメントよりも親和性は小さいが、抗原を認識しかつ結合する能力を有する。
【００７３】
また、「Ｆａｂ」フラグメントは、重鎖及び軽鎖可変領域に加えて、軽鎖の定常ドメインと重鎖の第１定常ドメイン（ＣＨ１）を含む。Ｆａｂフラグメントは、当初、抗体のパパイン消化に続いて観察された。Ｆａｂ’フラグメントは、Ｆ（ａｂ’）フラグメントが、抗体ヒンジ領域からの１又は２以上のシステインを含む、重鎖ＣＨ１ドメインのカルボキシ末端の幾つかの付加的残基を含むという点において、Ｆａｂフラグメントと相違する。Ｆ（ａｂ’）２フラグメントは、ジスルフィド結合によって、ヒンジ領域の近傍において、連結した２つのＦａｂフラグメントを含み、当初は、抗体のペプシン消化に続いて観察された。Ｆａｂ’−ＳＨは、定常領域の（１又は複数の）システイン残基が遊離チオール基を有するＦａｂ’フラグメントに対する本願における名称である。抗体フラグメントのその他の化学結合体も既知である。
【００７４】
任意の脊椎動物種に由来する抗体（免疫グロブリン）の「軽鎖」は、その定常ドメインのアミノ酸配列に基づいて、カッパ及びラムダと称される、明確に異なる２つのタイプの一方に分類することができる。その重鎖の定常ドメインのアミノ酸配列に応じて、免疫グロブリンは、５つの主要クラス：ＩｇＡ、ＩｇＤ、ＩｇＥ、ＩｇＧ及びＩｇＭに分類することができ、これらの幾つかは、更に、サブクラス（アイソタイプ）、例えばＩｇＧ１、ＩｇＧ２、ＩｇＧ３、ＩｇＧ４、ＩｇＡ１及びＩｇＡ２に分類されることもある。
【００７５】
「単鎖Ｆｖ」又は「ｓＦｖ」又は「ｓｃＦｖ」抗体フラグメントは、抗体のＶＨ及びＶＬドメインを含むが、これらのドメインは単一のペプチド鎖で存在する。ある実施形態では、Ｆｖポリペプチドは、更に、ＶＨドメインとＶＬドメインとの間のポリペプチドリンカーを含むが、これにより、Ｆｖは抗原結合のための所望の構造を形成することが可能になる。ｓＦｖについては、Pluckthun, in The Pharmacology of Monoclonal Antibodies, vol. 113 (Rosenburg and Moore eds.) Springer-Verlag, New York, pp. 269-315 (1994) 参照。
【００７６】
用語「二重特異性抗体（diabody）」は、２つの抗原結合部位を有する小さい抗体フラグメントをいうが、このフラグメントは、同一のポリペプチド鎖（ＶＨ−ＶＬ）において軽鎖可変ドメイン（ＶＬ）に結合した重鎖可変ドメイン（ＶＨ）を含む。同一の鎖の２つのドメイン間での対形成を可能にするには長さが足りないリンカーを使用することにより、これらのドメインは他方の鎖の相補的なドメインと対形成せざるを得ず、その結果、２つの抗原結合部位が形成される。二重特異性抗体（diabody）については、更に、例えば、EP 404,097; WO 93/11161 及び Hollinger et al. (1993) Proc. Natl. Acad. Sci. USA 90:6444-6448に記載されている。
【００７７】
「単離（isolated）」抗体は、その自然環境の成分から同定されかつ分離及び／又は回復された抗体である。その自然環境の成分としては、酵素、ホルモン、及びその他のタンパク性又は非タンパク性溶質が含まれ得る。ある実施形態では、単離抗体は、（１）ローリー法により決定される９５質量％超の抗体、例えば９９質量％超に、（２）例えばスピニングカップ配列決定装置（spinning cup sequenator）を用いることによって、Ｎ末端又は内部アミノ酸配列の少なくとも１５残基を取得するのに十分な程度に、又は（３）クマシーブルー又は銀染色による検出を伴う、還元又は非還元条件下でのゲル電気泳動（例えばＳＤＳ−ＰＡＧＥ）による均一性に、精製される。用語「単離抗体」は、組換え細胞内のインサイチュの抗体を含むが、これは、該抗体の自然環境の少なくとも１つの成分は存在しないからである。ある実施形態では、単離抗体は、少なくとも１つの精製ステップによって調製される。
【００７８】
ある実施形態では、抗体はヒト化抗体又はヒト抗体である。ヒト化抗体は、レシピエント（被移植者）の相補性決定領域（ＣＤＲ）の残基が所望の特異性、親和性及び能力を有するマウス、ラット又はウサギのような非ヒト種（ドナー抗体）のＣＤＲの残基によって置換されているヒト免疫グロブリン（レシピエント抗体）を含む。従って、非ヒト（例えばマウス）抗体のヒト化形態は、非ヒト免疫グロブリンに由来する最小の配列を含むキメラ免疫グロブリンである。非ヒト配列は、主に可変領域に、とりわけ相補性決定領域に（ＣＤＲ）に位置する。ある実施形態では、ヒト免疫グロブリンのＦｖフレームワーク残基は、対応する非ヒト残基によって置換される。ヒト化抗体は、レシピエント抗体にも導入されたＣＤＲ又はフレームワーク配列にも見出されない残基を含むこともできる。ある実施形態では、ヒト化抗体は、ＣＤＲの全て又は実質的に全てが非ヒト免疫グロブリンのＣＤＲに対応しかつフレームワーク領域の全て又は実質的に全てがヒト免疫グロブリンコンセンサス配列のフレームワーク領域である少なくとも１つの、典型的には２つの、可変領域の実質的に全てを含む。本願の開示の目的のために、ヒト化抗体は、Ｆｖ、Ｆａｂ、Ｆａｂ’、Ｆ（ａｂ’）２又は抗体のその他の抗原結合サブ配列のような免疫グロブリンフラグメントも含むことができる。
【００７９】
ヒト化抗体は、免疫グロブリン定常領域（Ｆｃ）、典型的にはヒト免疫グロブリンの定常領域、の少なくとも一部を含むこともできる。例えば、Jones et al. (1986) Nature 321:522-525; Riechmann et al. (1988) Nature 332:323-329; 及び Presta (1992) Curr. Op. Struct. Biol. 2:593-596参照。
【００８０】
非ヒト抗体をヒト化する方法は当業界において既知である。一般的に、ヒト化抗体は、非ヒトであるソースから導入された１又は２以上のアミノ酸残基を有する。これらの非ヒトアミノ酸残基は、しばしば、「インポート」又は「ドナー」残基と称され、典型的には「インポート」又は「ドナー」可変ドメインから取得される。例えば、ヒト化は、本質的にWinter及びその共同研究者の方法に従って、齧歯類ＣＤＲ又はＣＤＲ配列でヒト抗体の対応する配列を置換することによって、実行することができる。例えば、上掲Jones et al.; 上掲Riechmann et al.及び Verhoeyen et al. (1988) Science 239:1534-1536参照。従って、そのような「ヒト化」抗体は、実質的に無傷ではないヒト可変領域が非ヒト種からの対応する配列で置換されたキメラ抗体（米国特許第4,816,567号）を含む。ある実施形態では、ヒト化抗体は、幾つかのＣＤＲ残基及び必要に応じ幾つかのフレームワーク領域の残基が齧歯類抗体（例えばマウスモノクローナル抗体）の類似部位からの残基によって置換されたヒト抗体である。
【００８１】
ヒト抗体は、例えば、ファージディスプレイライブラリを使用することによって、作成することもできる。Hoogenboom et al. (1991) J. Mol. Biol, 227:381; Marks et al. (1991) J. Mol. Biol. 222:581。ヒトモノクローナル抗体を調製するための他の方法は、Cole et al. (1985) "Monoclonal Antibodies and Cancer Therapy," Alan R. Liss, p. 77 及び Boerner et al. (1991) J. Immunol. 147:86-95に記載されている。
【００８２】
ヒト抗体は、ヒト免疫グロブリン遺伝子座を、内在性免疫グロブリン遺伝子（複数）が部分的又は完全に不活性化されたトランスジェニック動物（例えばマウス）に導入することによって作成することができる。免疫学的チャレンジ（免疫原投与）と同時に、ヒト抗体産生が観察されるが、これは、遺伝子再構成、アセンブリ（assembly）及び抗体レパートリを含むあらゆる点においてヒトにおいて見られるものとよく似ている。この手法は、例えば、米国特許第5,545,807号；第5,545,806号；第5,569,825号；第5,625,126号；第5,633,425号；第5,661,016号及び以下の学術文献：Marks et al. (1992) Bio/Technology 10:779-783 (1992); Lonberg et al. (1994) Nature 368: 856-859; Morrison (1994) Nature 368:812-813; Fishwald et al. (1996) Nature Biotechnology 14:845-851; Neuberger (1996) Nature Biotechnology 14:826 及び Lonberg et al. (1995) Intern. Rev. Immunol. 13:65-93 に記載されている。
【００８３】
抗体は、上述のような既知の選択及び／又は変異誘発法を用いることにより、親和性成熟となり得る。ある実施形態では、親和性成熟抗体は、当該成熟抗体を調製した出発抗体（一般的に、マウス、ウサギ、ニワトリ、ヒト化又はヒト）の親和性の５倍以上、１０倍以上、２０倍以上又は３０倍以上の親和性を有する。
【００８４】
抗体は、二特異性（bispecific）抗体でもあり得る。二特異性抗体は、モノクローナルであり、少なくとも２つの異なる抗原に対し結合特異性を有するヒト抗体又はヒト化抗体であってもよい。この場合、２つの異なる結合特異性は、２つの異なるリシル酸化酵素型酵素に対するもの、又は、１つのリシル酸化酵素型酵素の２つの異なるエピトープに対するものであり得る。
【００８５】
本願に開示される抗体は、免疫複合体（immunoconjugate）でもあり得る。そのような免疫複合体は、レポーターのような第２の分子に結合された（例えばリシル酸化酵素型酵素に対する）抗体を含む。免疫複合体は、化学療法剤、毒素（例えば細菌、真菌、植物又は動物起源の酵素的に活性な毒素又はそのフラグメント）、又は放射性同位元素（即ち放射性複合体（radioconjugate））のような細胞傷害性剤に結合された抗体も含み得る。
【００８６】
特定のポリペプチド又は特定のポリペプチドの（１つの）エピトープ「に特異的に結合する」ないし「に対し特異的な」抗体は、他の任意のポリペプチド又はポリペプチドエピトープに実質的に結合することなく、当該特定のポリペプチド又はエピトープに結合する抗体である。ある実施形態では、本願に開示の抗体は、凡そ４℃、２５℃、３７℃又は４２℃の温度で測定された、モノクローナル抗体、ｓｃＦｖ、Ｆａｂの形態又は抗体のその他の形態で、１００ｎＭ以下、場合により１０ｎＭ以下、場合により１ｎＭ以下、場合により０．５ｎＭ以下、場合により０．１ｎＭ以下、場合により０．０１ｎＭ以下、場合により０．００５ｎＭ以下の解離定数（Ｋｄ）で、その標的に特異的に結合する。
【００８７】
ある実施形態では、本願開示の抗体は、リシル酸化酵素型酵素の１又は２以上のプロセッシング部位（例えばタンパク質切断部位）に結合することにより、プロ酵素又はプレプロ酵素の触媒的に活性な酵素へのプロセッシングを効果的に阻害し、かくして、リシル酸化酵素型酵素の活性を低下する。
【００８８】
ある実施形態では、本願開示の抗体は、ヒトＬＯＸに、その他のリシル酸化酵素型酵素、例えばＬＯＸＬ１、ＬＯＸＬ２、ＬＯＸＬ３及びＬＯＸＬ４に対する結合親和性よりも大きい、例えば１０倍、少なくとも１００倍、又は更には少なくとも１０００倍大きい結合親和性で結合する。
【００８９】
更なる実施形態では、本願開示の抗体は、ヒトＬＯＸＬ２に、その他のリシル酸化酵素型酵素、例えばＬＯＸ、ＬＯＸＬ１、ＬＯＸＬ３及びＬＯＸＬ４に対する結合親和性よりも大きい、例えば１０倍、少なくとも１００倍、又は更には少なくとも１０００倍大きい結合親和性で結合する。結合する
【００９０】
ある実施形態では、本願開示の抗体は、リシル酸化酵素型酵素の触媒活性の非競合的阻害剤である。ある実施形態では、本願開示の抗体は、リシル酸化酵素型酵素の触媒ドメインの外部に結合する。ある実施形態では、本願開示の抗体は、ＬＯＸＬ２のＳＲＣＲ４ドメインに結合する。ある実施形態では、ＬＯＸＬ２のＳＲＣＲ４ドメインに結合しかつ非競合的阻害剤として機能する抗ＬＯＸＬ２抗体は、同一出願人による米国特許出願公開第2009/0053224号及び第2009/0104201号に記載されたＡＢ００２３抗体である。ある実施形態では、ＬＯＸＬ２のＳＲＣＲ４ドメインに結合しかつ非競合的阻害剤として機能する抗ＬＯＸＬ２抗体は、同一出願人による米国特許出願公開第2009/0053224号及び第2009/0104201号に記載されたＡＢ００２４抗体（ＡＢ００２３抗体のヒトバージョン）である。
【００９１】
任意的に、本願開示の抗体は、リシル酸化酵素型酵素に結合するだけではなく、リシル酸化酵素型酵素の取込み（uptake）又は内部移行（internalization）を、例えばインテグリンβ１又はその他の細胞受容体ないしタンパク質を介して、低下又は阻害する。そのような抗体は、例えば、細胞外マトリクスタンパク質、細胞受容体及び／又はインテグリンに結合可能である。
【００９２】
リシル酸化酵素型酵素を認識する例示的な抗体、及びリシル酸化酵素型酵素に対する抗体に関する更なる開示は、同一出願人による米国特許出願公開第2009/0053224号及び第2009/0104201号に記載されている。これらの開示は、リシル酸化酵素型酵素に対する抗体、それらの製造及びそれらの使用を説明する目的のために、引用を以って本願に組み込まれる。
【００９３】
リシル酸化酵素型酵素の発現を調節（モジュレート）するためのポリヌクレオチド
【００９４】
アンチセンス
【００９５】
リシル酸化酵素型酵素の調節（例えば阻害）は、転写又は翻訳のレベルでリシル酸化酵素型酵素の発現を下方制御することによって引き起こすことができる。そのような調節方法の１つは、リシル酸化酵素型酵素をコードするｍＲＮＡ転写物に配列特異的に結合する能力を有するアンチセンスオリゴ又はポリヌクレオチドの使用を含む。
【００９６】
標的ｍＲＮＡ分子に対するアンチセンスオリゴヌクレオチド（又はアンチセンスオリゴヌクレオチドアナログ）の結合は、細胞内リボヌクレアーゼＨによるハイブリッドの酵素的開裂を引き起こし得る。あるケースでは、アンチセンスＲＮＡ−ｍＲＮＡハイブリッドの形成が、正確なスプライシングを妨害し得る。何れの場合であっても、翻訳に適した、無傷の機能的な標的ｍＲＮＡの数は、減少され又は除去される。別のケースでは、標的ｍＲＮＡに対するアンチセンスオリゴヌクレオチド又はオリゴヌクレオチドアナログの結合は、（例えば立体障害によって）リボソーム結合を阻止し、以って、該ｍＲＮＡの翻訳を阻止する。
【００９７】
アンチセンスオリゴヌクレオチドは、任意のタイプのヌクレオチドサブユニットを含むことができ、例えば、ＤＮＡ、ＲＮＡ、ペプチド核酸（ＰＮＡ）のようなアナログ、又はそれらの混合物であり得る。ＲＮＡオリゴヌクレオチドは、標的ｍＲＮＡ分子とより安定的な二本鎖を形成するが、ハイブリダイズしていないオリゴヌクレオチドは、他のタイプのオリゴヌクレオチド及びオリゴヌクレオチドアナログよりも細胞内安定性が小さい。ＲＮＡオリゴヌクレオチドの不安定性は、この目的のために設計されたベクターを用いた細胞内で当該ＲＮＡオリゴヌクレオチドを発現させることにより、緩和され得る。このアプローチは、例えば、豊富かつ長命のタンパク質をコードするｍＲＮＡの標的を試みる場合に、使用することができる。
【００９８】
アンチセンスオリゴヌクレオチドを設計する場合、（ｉ）標的配列への結合における十分な特異性；（ｉｉ）溶解性；（ｉｉｉ）細胞内及び細胞外ヌクレアーゼに対する安定性；（ｉｖ）細胞膜貫通能；及び（ｖ）生物の処置に使用する場合における、低毒性を含む、更なる事項を考慮に入れることができる。
【００９９】
標的ｍＲＮＡに対する最も大きい推定結合親和性を有するオリゴヌクレオチド配列を、該標的ｍＲＮＡと該オリゴヌクレオチドの両者における構造変化のエネルギの原因となる熱力学サイクルに基づいて、同定するためのアルゴリズムは利用可能である。例えば、Walton et al. (1999) Biotechnol. Bioeng. 65:1-9は、ウサギβグロブリン（ＲＢＧ）及びマウス腫瘍壊死因子α（ＴＮＦα）転写物に向けられたアンチセンスオリゴヌクレオチドを設計するための方法を使用した。更に、この同じ研究グループは、細胞培養物における３つのモデル標的ｍＲＮＡ（ヒト乳酸脱水素酵素Ａ及びＢ及びラットｇｐ１３０）に対する合理的に選択されたオリゴヌクレオチドのアンチセンス活性は殆ど全てのケースにおいて有効性を示したことを報告している。これは、リン酸ジエステル及びホスホロチオエートケミストリの両者により作成されたオリゴヌクレオチドを用いた２つの細胞タイプにおける３つの異なる標的に対する試験を含んでいた。
【０１００】
更に、インビボ系を用いて特定のオリゴヌクレオチドの効率を設計し、予測するアプローチが幾つか利用可能である。例えば、Matveeva et al. (1998) Nature Biotechnology 16:1374-1375参照。
【０１０１】
本願開示のアンチセンスオリゴヌクレオチドは、少なくとも１０ヌクレオチド、例えば、１０〜１５、１５〜２０、少なくとも１７、少なくとも１８、少なくとも１９、少なくとも２０、少なくとも２２、少なくとも２５、少なくとも３０又は更には少なくとも４０ヌクレオチドのポリヌクレオチド又はポリヌクレオチドアナログを含む。そのようなポリヌクレオチド又はポリヌクレオチドアナログは、リシル酸化酵素型酵素、例えばＬＯＸ又はＬＯＸＬ２をコードするｍＲＮＡと、生理学的条件下、インビボでアニール又はハイブリダイズする（即ち塩基相補性に基づく二本鎖構造を形成する）ことができる。
【０１０２】
本願開示のアンチセンスオリゴヌクレオチドは、細胞又は組織に投与された核酸構築物から発現され得る。任意的に、アンチセンス配列の発現は、アンチセンス配列の発現が細胞又は組織内でオンオフ切換えされるよう、誘導性プロモータによって制御される。代替的に、アンチセンスオリゴヌクレオチドは、化学的に合成され、例えば医薬組成物の一部として、細胞又は組織に直接投与されることができる。
【０１０３】
アンチセンス技術により、高度に正確なアンチセンス設計アルゴリズム及び極めて多様なオリゴヌクレオチド送達システムが作成され、かくして、当業者であれば既知の配列の発現の下方制御に適するアンチセンスアプローチを設計及び実行することが可能になった。アンチセンス技術に関する更なる情報については、例えば、Lichtenstein et al., "Antisense Technology: A Practical Approach," Oxford University Press, 1998参照。
【０１０４】
低分子ＲＮＡ及びＲＮＡｉ
【０１０５】
リシル酸化酵素型酵素の活性の阻害のための他の方法は、ＲＮＡ干渉法（ＲＮＡｉ）、即ち、標的ｍＲＮＡに相同でありかつその分解を引き起こす二本鎖低分子干渉ＲＮＡ（ｓｉＲＮＡ）分子を用いるアプローチである。Carthew (2001) Curr. Opin. Cell. Biol. 13:244-248参照。
【０１０６】
ＲＮＡ干渉は、典型的には、２ステッププロセスである。開始ステップと称される第１のステップでは、インプットｄｓＲＮＡが、２１−２３ヌクレオチド（ｎｔ）の低分子干渉ＲＮＡ（ｓｉＲＮＡ）に消化されるが、これは恐らく二本鎖ＲＮＡをＡＴＰ依存様式で開裂する二本鎖特異的リボヌクレアーゼのリボヌクレアーゼＩＩＩファミリーのメンバーであるダイサーの作用によって行われる。インプットＲＮＡは、例えば直接的に又は導入遺伝子又はウイルスを介して、送達することも可能である。連続的開裂イベントにより、ＲＮＡは夫々２ヌクレオチドの３’オーバーハングを有する１９−２１ｂｐの二本鎖（ｓｉＲＮＡ）に分解される。Hutvagner et al. (2002) Curr. Opin. Genet. Dev. 12:225-232; Bernstein (2001) Nature 409:363-366参照。
【０１０７】
第２のエフェクタステップでは、ｓｉＲＮＡ二本鎖は、ヌクレアーゼ複合体に結合し、ＲＮＡ誘導サイレンシング複合体（ＲＩＳＣ）を形成する。ｓｉＲＮＡ二本鎖のＡＴＰ依存性の巻き戻しは、ＲＩＳＣの活性化に必要である。（単一ｓｉＲＮＡ及びリボヌクレアーゼを含む）活性ＲＩＳＣは、次いで、塩基対形成相互作用によって相同転写物を標的とし、典型的には、ｍＲＮＡを、ｓｉＲＮＡの３’末端から開始する凡そ１２ヌクレオチドのフラグメントに開裂する。上掲Hutvagner et al.; Hammond et al. (2001) Nat. Rev. Gen. 2:110-119; Sharp (2001) Genes. Dev. 15:485-490参照。
【０１０８】
ＲＮＡｉ及び関連方法は、Tuschl (2001) Chem. Biochem. 2:239-245; Cullen (2002) Nat. Immunol. 3:597-599; 及び Brantl (2002) Biochem. Biophys. Acta. 1575:15-25にも記載されている。
【０１０９】
リシル酸化酵素型酵素の活性の阻害剤として、本願開示による使用に適するＲＮＡｉ分子の合成のための典型的な方策は、ＡＡジヌクレオチド配列の開始コドンの下流にある適切なｍＲＮＡ配列をスキャンすることである。個々のＡＡは、下流の（即ち３’に近接する）１９ヌクレオチドと共に、ｓｉＲＮＡ標的部位候補として記録される。コード領域における標的部位が望ましい。というのは、ｍＲＮＡの非翻訳領域（ＵＴＲ）に結合するタンパク質、及び／又は翻訳開始複合体は、ｓｉＲＮＡエンドヌクレアーゼ複合体の結合と干渉し得るからである。上掲Tuschl (2001)参照。尤も、ＧＡＰＤＨ遺伝子の５’ＵＴＲに向けられたｓｉＲＮＡが細胞ＧＡＰＤＨ ｍＲＮＡ及び完全破壊タンパク質レベルにおいて凡そ９０％の減少を媒介したケース（アンビオン（Ambion）、オースティン、テキサス州）で示されたように、非翻訳領域に向けられたｓｉＲＮＡも有効であり得ることが分かるであろう。一旦、一組の標的部位候補が得られれば、上述のように、標的候補の配列は、（ＮＣＢＩから入手可能なＢＬＡＳＴソフトウェアのような）配列アラインメントソフトウェアを用いることにより、（例えばヒト、マウス、ラット等の）適切なゲノムデータベースと対比される。他のコード配列に対し有意な（著しい）相同性を示す標的部位候補は排除される。
【０１１０】
条件を満たす（qualifying）標的配列は、ｓｉＲＮＡ合成のためのテンプレートとして選択される。選択された配列は、Ｇ／Ｃ含有量が５５％超の配列と比べて、遺伝子サイレンシングの媒介においてより効果的であることが示されているため、Ｇ／Ｃ含有量が小さい配列を含むことができる。幾つかの標的部位は、評価のために、標的遺伝子の長さに沿って選択されることができる。選択されたｓｉＲＮＡをよりよく評価するために、陰性対照が併用される。陰性対照ｓｉＲＮＡは、試験ｓｉＲＮＡと同じヌクレオチド組成を有するが、該ゲノムに対する有意な（著しい）相同性を欠く配列を含むことができる。従って、例えば、ｓｉＲＮＡのスクランブルヌクレオチド配列は、他の任意の遺伝子に対する如何なる有意な（著しい）相同性も示さなければ、使用されてもよい。
【０１１１】
本願開示のｓｉＲＮＡ分子は、一旦宿主細胞に導入されればｓｉＲＮＡ転写物の安定的な発現を可能にする発現ベクターから転写されることができる。これらのベクターは、遺伝子特異的サイレンシングを実行可能なｓｉＲＮＡ分子にインビボでプロセシングされる、低分子ヘアピンＲＮＡ（ｓｈＲＮＡ）を発現するよう設計される。例えば、Brummelkamp et al. (2002) Science 296:550-553; Paddison et al (2002) Genes Dev. 16:948-958; Paul et al. (2002) Nature Biotech. 20:505-508; Yu et al. (2002) Proc. Natl. Acad. Sci. USA 99:6047-6052参照。
【０１１２】
低分子ヘアピンＲＮＡ（ｓｈＲＮＡ）は、二本鎖ヘアピンループ構造を形成する一本鎖ポリヌクレオチドである。二本鎖領域は、リシン酸化酵素型酵素をコードするポリヌクレオチド（例えばＬＯＸ又はＬＯＸＬ２ ｍＲＮＡ）のような、標的配列にハイブリダイズ可能な第１配列と、該第１配列に相補的な第２配列とから形成される。第１配列と第２配列は、二本鎖領域を形成する；第１配列と第２配列の間にある塩基対非形成（un-base-paired）リンカーヌクレオチドは、ヘアピンループ構造を形成する。ｓｈＲＮＡの二本鎖領域（ステム）は、制限酵素認識部位を含み得る。
【０１１３】
ｓｈＲＮＡ分子は、例えば３’ＵＵオーバーハング等の２ｂｐオーバーハングのような、任意的なヌクレオチドオーバーハングを有し得る。バリエーションはあり得るが、ステム長は、典型的には、凡そ１５〜４９ｂｐ、凡そ１５〜３５ｂｐ、凡そ１９〜３５ｂｐ、凡そ２１〜３１ｂｐ、又は凡そ２１〜２９ｂｐの範囲であり、ループのサイズは、凡そ４〜３０ｂｐ、例えば凡そ４〜２３ｂｐの範囲であり得る。
【０１１４】
細胞内でのｓｈＲＮＡの発現のために、プロモータ（例えば、ＲＮＡポリメラーゼＩＩＩ Ｈ１−プロモータ又はＵ６ ＲＮＡプロモータ）、ｓｈＲＮＡをコードする配列の挿入のためのクローニング部位、及び転写終結シグナル（例えば、４−５アデニン−チミジン塩基対のストレッチ（一続きの４−５アデニン−チミジン塩基対））を含むプラスミドベクターを採用することができる。ポリメラーゼIIIプロモータは、一般に、明確に定義された転写開始及び終結部位を有し、それらの転写物はポリＡテイルを欠いている。これらのプロモータのための終結シグナルは、ポリチミジン鎖（tract）によって定義され、転写物は、典型的には、第２の（２番目の）コード化ウリジンの後で開裂される。この位置での開裂により、発現されたｓｈＲＮＡに３’ＵＵオーバーハングが生じるが、これは、合成ｓｉＲＮＡの３’オーバーハングに類似する。哺乳動物細胞においてｓｈＲＮＡを発現するための更なる方法は、既述の文献に記載されている。
【０１１５】
好適なｓｈＲＮＡ発現ベクターの一例は、ｐＳＵＰＥＲＴＭ（オリゴエンジン社、シアトル、ワシントン州）であり、これは、明確に定義された転写開始部位と、５つの連続したアデニン−チミジンペアからなる終結シグナルとを有するポリメラーゼIII Ｈ１−ＲＮＡ遺伝子プロモータを含む。上掲Brummelkamp et al.参照。転写産物は、（終結配列によってコードされた５つのうちの）第２の（２番目の）ウリジンの後の部位で開裂され、合成ｓｉＲＮＡの末端部に類似する転写物を生じるが、これもヌクレオチドオーバーハングを含む。ｓｈＲＮＡへと転写されるべき配列は、そのようなベクターにクローン化され、第１配列の逆相補体（reverse complement）を含む第２配列から短いスペーサによって離隔された、ｍＲＮＡ標的（例えばリシル酸化酵素型酵素をコードするｍＲＮＡ）の一部に相補的な第１配列を含む転写物を生成する。生じた転写物は（自発的に）折畳まれてステム−ループ構造を形成するが、これは、ＲＮＡ干渉（ＲＮＡｉ）を媒介する。
【０１１６】
他の好適なｓｉＲＮＡ発現ベクターは、別々のpol IIIプロモータ（複数）の制御下でセンス及びアンチセンスｓｉＲＮＡをコードする。Miyagishi et al. (2002) Nature Biotech. 20:497-500参照。このベクターによって生成されるｓｉＲＮＡは、５つのチミジン（Ｔ５）終結シグナルも含む。
【０１１７】
ｓｉＲＮＡ、ｓｈＲＮＡ及び／又はそれらをコードするベクターは、種々の方法、例えばリポフェクション法によって、細胞に導入することができる。ベクター媒介法も開発されている。例えば、ｓｉＲＮＡ分子は、レトロウイルスを用いて細胞内に送達することができる。レトロウイルスを用いたｓｉＲＮＡの送達は、或る状況下において利点を提供し得る。というのは、レトロウイルス送達は、安定的な「ノックダウン」細胞を効率的、均一かつ即時的に選択し得るからである。Devroe et al. (2002) BMC Biotechnol. 2:15参照。
【０１１８】
最近の科学刊行物により、標的ｍＲＮＡ発現の阻害におけるそのような短い二本鎖ＲＮＡ分子の有効性が確認された、従って、そのような分子の治療可能性が明確に示された。例えば、ＲＮＡｉは、Ｃ型肝炎ウイルスが感染した細胞（McCaffrey et al. (2002) Nature 418:38-39）、ＨＩＶ−１感染細胞（Jacque et al. (2002) Nature 418:435-438）、子宮頸癌細胞（Jiang et al. (2002) Oncogene 21:6041-6048）及び白血病細胞（Wilda et al. (2002) Oncogene 21:5716-5724）における阻害のために利用された。
【０１１９】
リシル酸化酵素型酵素の発現の調節（モジュレート）方法
【０１２０】
リシル酸化酵素型酵素の活性を調節（モジュレート）するための他の方法は、そのコード遺伝子の発現を調節し、遺伝子発現が抑制されればより低いレベルの活性を導き、遺伝子発現が活性化されればより高いレベル（の活性）に導くことである。細胞における遺伝子発現の調節は、多くの方法によって実現することができる。
【０１２１】
例えば、鎖置換又は三重螺旋形成によってゲノムＤＮＡ（例えばリシル酸化酵素型遺伝子の制御領域）に結合するオリゴヌクレオチドは、転写を阻止し、かくして、リシル酸化酵素型酵素の発現を阻止することができる。これに関し、オリゴヌクレオチドがその標的の一方の鎖のポリプリン配列（stretch）と他方の鎖のホモプリン配列を認識するいわゆる「スイッチバック」化学結合（linking）の使用は、既に開示されている。三重螺旋形成は、人工塩基を含むオリゴヌクレオチドを用いて取得することもでき、これにより、イオン強度及びｐＨに関し結合条件を拡張することができる。
リシル酸化酵素型酵素をコードする遺伝子の転写の調節は、例えば、機能性ドメイン及びＤＮＡ結合ドメインを含む融合タンパク質、又はそのような融合タンパク質をコードする核酸を細胞に導入することによって、実現することもできる。機能性ドメインは、例えば、転写活性化ドメイン又は転写抑制ドメインであり得る。典型的な転写活性化ドメインは、ＶＰ１６、ＶＰ６４及びＮＦ−κＢのｐ６５サブユニットを含み、典型的な転写抑制ドメインは、ＫＲＡＢ、ＫＯＸ及びｖ−ｅｒｂＡを含む。
【０１２２】
或る実施形態では、そのような融合タンパク質のＤＮＡ結合ドメイン部分は、リシル酸化酵素型酵素をコードする遺伝子内又は近傍に、又はそのような遺伝子の制御領域に結合する配列特異的ＤＮＡ結合ドメインである。ＤＮＡ結合ドメインは、該遺伝子又は制御領域又はその近傍にある配列に自発的に結合可能であるか、或いは、そのように結合するよう設計可能である。例えば、ＤＮＡ結合ドメインは、リシル酸化酵素型酵素をコードする遺伝子の発現を制御する天然タンパク質から取得することができる。或いは、ＤＮＡ結合ドメインは、リシル酸化酵素型酵素をコードする遺伝子又はその近傍又はそのような遺伝子の制御領域における所望の（of choice）配列に結合するよう設計することができる。
【０１２３】
これに関し、所望の（of choice）任意のＤＮＡ配列に結合するよう亜鉛フィンガータンパク質を設計することが可能であるので、亜鉛フィンガーＤＮＡ結合ドメインは有用である。亜鉛フィンガー結合ドメインは、１又は２以上の亜鉛フィンガー構造を含む。Miller et al. (1985) EMBO J 4:1609-1614; Rhodes (1993) Scientific American, February: 56-65; 米国特許第6,453,242号参照。典型的には、単一の亜鉛フィンガーは長さが凡そ３０アミノ酸であり、４つの亜鉛配位アミノ酸残基を有する。正準（canonical）（Ｃ２Ｈ２）亜鉛フィンガーモチーフが、（一般的に２つの亜鉛配位ヒスチジン残基を含む）１つのαヘリックスに対抗して詰め込まれた（packed）（一般的に２つの亜鉛配位システイン残基を含む１つのβターンに保持される）２つのβシートを有することが、構造研究により明らかにされている。
【０１２４】
亜鉛フィンガーは、正準Ｃ２Ｈ２亜鉛フィンガー（即ち、亜鉛イオンが２つのヒスチジン残基と２つのシステイン残基によって配位されるもの）と、例えばＣ３Ｈ亜鉛フィンガー（亜鉛イオンが３つのシステイン残基と１つのヒスチジン残基によって配位されるもの）やＣ４亜鉛フィンガー（亜鉛イオンが４つのシステイン残基によって配位されるもの）のような非正準亜鉛フィンガーの両者を含む。非正準亜鉛フィンガーは、システイン又はヒスチジン以外のアミノ酸によってこれらの亜鉛配位残基の１つが置換されるものも含む。例えば、WO 02/057293 (July 25, 2002) 及び US 2003/0108880 (June 12, 2003)参照。
【０１２５】
亜鉛フィンガー結合ドメインは、天然の亜鉛フィンガー結合タンパク質と比べて、新規な結合特異性を有するよう設計することができ、これにより、所望の（of choice）配列に結合するよう亜鉛フィンガー結合ドメインの構造を設計することが可能になる。例えば、Beerli et al. (2002) Nature Biotechnol. 20:135-141; Pabo et al. (2001) Ann. Rev. Biochem. 70:313-340; Isalan et al. (2001) Nature Biotechnol. 19:656-660; Segal et al. (2001) Curr. Opin. Biotechnol. 12:632-637; Choo et al. (2000) Curr. Opin. Struct. Biol. 10:411-416参照。設計方法は、合理的設計（rational design）及び種々のタイプの経験的選択（empirical selection）法を含むが、これらに限定されない。
【０１２６】
合理的設計は、例えば、三重（又は四重）ヌクレオチド配列と個々の亜鉛フィンガーアミノ酸配列であって、各々の三重又は四重ヌクレオチド配列が、特定の三重又は四重配列に結合する亜鉛フィンガーの１又は２以上のアミノ酸配列と関連するものを含むデータベースを用いること、を含む。例えば、米国特許第6, 140,081号; 同第6,453,242号; 同第6,534,261号; 同第6,610,512号; 同第6,746,838号; 同第6,866,997号; 同第7,030,215号; 同第7,067,617号; 米国特許出願公開第2002/0165356号; 同第2004/0197892号; 同第2007/0154989号; 同第2007/0213269号; 及び 国際特許出願公開WO 98/53059 及び WO 2003/016496参照。
【０１２７】
ファージディスプレイ、相互作用トラップ（interaction trap）、ハイブリッド選択及び二重ハイブリッドを含む、例示的な選択法は、米国特許第5,789,538号; 同第5,925,523号; 同第6,007,988号; 同第6,013,453号; 同第6,140,466号; 同第6,200,759号; 同第6,242,568号; 同第6,410,248号; 同第6,733,970号; 同第6,790,941号; 同第7,029,847号 及び 同第7,297,491号; 並びに 米国特許出願公開第2007/0009948号 及び同第2007/0009962号; WO 98/37186; WO 01/60970 及び GB 2,338,237に記載されている。
【０１２８】
亜鉛フィンガー結合ドメインに対する結合特異性の増強は、例えば、米国特許第6,794,136号 (Sept. 21, 2004)に記載されている。亜鉛フィンガーリンカー配列に関する、亜鉛フィンガー設計の更なる側面は、米国特許第6,479,626号 及び米国特許出願公開第2003/0119023号に記載されている。更に、Moore et al. (2001a) Proc. Natl. Acad. Sci. USA 98:1432-1436; Moore et al. (2001b) Proc. Natl. Acad. Sci. USA 98:1437-1441 及び WO 01/53480も参照。
【０１２９】
設計された亜鉛フィンガーＤＮＡ結合ドメインを含む融合タンパク質の使用についての更なる詳細は、例えば、米国特許第6,534,261号; 同第6,607,882号; 同第6,824,978号; 同第6,933,113号; 同第6,979,539号; 同第7,013,219号; 同第7,070,934号; 同第7,163,824号 及び同第7,220,719号に見出される。
【０１３０】
リシル酸化酵素型酵素の発現を調節するための更なる方法は、遺伝子又は該遺伝子の発現を制御する制御領域の何れか一方の標的変異誘発を含む。ヌクレアーゼドメインと設計されたＤＮＡ結合ドメインを含む融合タンパク質を用いる標的変異誘発の典型的な方法は、例えば、米国特許出願公開第2005/0064474号; 同第2007/0134796号; 及び 同第2007/0218528号に規定されている。
【０１３１】
製剤（処方物）、キット及び投与経路
【０１３２】
リシル酸化酵素型酵素の活性のモジュレータ（例えば、リシル酸化酵素型酵素の阻害剤又は活性化剤）として同定される化合物を含む治療組成物も提供される。そのような組成物は、典型的には、モジュレータと医薬的に許容可能な担体とを含む。組成物には、追加の活性化合物を組み入れることも可能である。
【０１３３】
本願において使用する場合、用語「治療有効量」又は「有効量」は、単独で又は他の治療剤と組み合わせて細胞、組織又は被検体（例えばヒト又は例えば霊長類、齧歯類、ウシ、ウマ、ブタ、ヒツジ等のような非ヒト動物のような哺乳動物）に投与したとき、疾患状態又は疾患の進行を阻止又は寛解するのに有効な治療剤の量をいう。治療有効（量）とは、更に、症状の完全又は部分的な寛解、例えば関連する医学的状態の治療（treatment）、治癒（healing）、阻止（prevention）又は寛解（amelioration）、或いはそのような状態の治療、治癒、阻止又は寛解の割合の増加、を引き起こすのに十分な化合物の量をいう。例えば、リシル酸化酵素型酵素の活性の阻害剤の治療有効量は、疾患又は障害のタイプ、該疾患又は障害の広範さ（extensiveness）、及び該疾患又は障害に罹患した生物のサイズに応じて異なる。
【０１３４】
本願開示の治療組成物は、とりわけ、線維症性障害（fibrotic damage）の減少、腫瘍増殖の阻害、癌転移の阻害及び血管新生の調節に有用である。従って、リシル酸化酵素型酵素の活性のモジュレータ（例えば、阻害剤）の「治療有効量」は、線維症性障害の減少、腫瘍増殖の減少、転移の減少及び／又は血管新生の調節（例えば、阻害）を引き起こす量である。例えば、リシル酸化酵素型酵素の阻害剤が抗体であり、該抗体がインビボで投与される場合、正常な（通常の）投与量は、例えば体重、投与経路、疾患の重症度等に応じて、１日につき哺乳動物体重当り凡そ１０ｎｇ／ｋｇ〜１００ｍｇ／ｋｇ又はそれ以上の範囲で変更することができ、例えば、凡そ１μｇ／ｋｇ／日〜５０ｍｇ／ｋｇ／日、必要に応じ、凡そ１００μｇ／ｋｇ／日〜２０ｍｇ／ｋｇ／日、５００μｇ／ｋｇ／日〜１０ｍｇ／ｋｇ／日、又は１ｍｇ／ｋｇ／日〜１０ｍｇ／ｋｇ／日、の間で変更してもよい。
【０１３５】
種々の医薬組成物及びその調製及び使用技術は、本願開示に照らして、当業者には既知である。好適な薬理学的組成物及びその投与技術の詳細なリストについては、本願の詳細な教示が参照され得るが、更に、Remington's Pharmaceutical Sciences, 17th ed. 1985; Brunton et al., "Goodman and Gilman's The Pharmacological Basis of Therapeutics," McGraw-Hill, 2005; University of the Sciences in Philadelphia (eds.), "Remington: The Science and Practice of Pharmacy," Lippincott Williams & Wilkins, 2005; 及び University of the Sciences in Philadelphia (eds.), "Remington: The Principles of Pharmacy Practice," Lippincott Williams & Wilkins, 2008のような文献によっても補足され得る。
【０１３６】
開示された治療組成物は、更に、液体又は固体フィラー、希釈剤、賦形剤、溶解剤又はカプセル材料のような、医薬的に許容可能な材料、組成物又はビヒクル（vehicle）、即ち（医薬的に許容可能な）担体を含む。これらの担体は、被検モジュレータをある器官又は身体の領域から他の器官又は身体の他の領域への運搬に関与する。各々の担体は、製剤の他の成分に対し適合性でありかつ患者に対し有害ではないという意味において「許容可能」であるべきである。医薬的に許容可能な担体として機能し得る材料の例には、ラクトース、グルコース及びスクロースのような糖；トウモロコシデンプン及びイモデンプンのようなデンプン；カルボキシメチルセルロースナトリウム、エチルセルロース及び 酢酸セルロースのようなセルロース及びその誘導体；粉末トラガカント；麦芽；ゼラチン；タルク；ココアバター及び坐薬ワックスのような賦形剤；ピーナッツ油、綿実油、サフラワー油、ごま油、オリーブ油、トウモロコシ油及び大豆油のようなオイル；プロピレングリコールのようなグリコール；グリセリン、ソルビトール、マニトール及びポリエチレングリコールのようなポリオール；オレイン酸エチル及びラウリン酸エチルのようなエステル；アガー；水酸化マグネシウム及び水酸化アルミニウムのような緩衝剤；アルギン酸；ピロゲン不含有（pyrogen-free）水；等張食塩水；リンガー溶液；エチルアルコール；リン酸緩衝液；及び 医薬製剤で採用されるその他の非毒性適合性物質が含まれる。ラウリル硫酸ナトリウム及びステアリン酸ナトリウムのような湿潤剤、乳化剤及び潤滑剤、並びに着色剤、離型剤、コーティング剤、甘味剤、香味剤及び芳香剤、保存剤及び抗酸化剤も組成物に含むことができる。
【０１３７】
本願開示の他の側面は、リシル酸化酵素型酵素の活性のモジュレータの投与を実行するためのキットに関する。１つの実施形態では、キットは、適切なものとして、医薬担体に処方されたリシル酸化酵素型酵素の活性の阻害剤（例えば、ＬＯＸ又はＬＯＸＬ２の阻害剤）を含む。
【０１３８】
製剤及び送達方法は、線維性障害、腫瘍増殖、転移又は血管新生の部位又は程度に応じて適合化することができる。例示的な製剤は、非経口投与、例えば、静脈（内）投与、動脈内投与、眼内投与又は皮下投与に好適な製剤を含み、ミセル、リポソーム又は薬物放出カプセルに被包された製剤（徐放用に設計された生体適合性コーティング内に組み入れられた活性剤）；（経口）摂取可能な製剤；点眼剤、クリーム、軟膏及びゲルのような局所用途用の製剤；及び吸入剤、エアロゾル及びスプレーのようなその他の製剤を含むが、これらに限定されない。本願開示の組成物の用量は、治療に必要な程度及び重症度、投与される組成物の活性、被検体の全体的健康状態及び当業者に周知のその他の考慮要素に応じて変更される。
【０１３９】
更なる実施形態では、本願開示の組成物は局所的に送達される。局在化された送達（局所的送達）により、例えば創傷領域、腫瘍領域又は線維症領域への、組成物の非全身的送達が可能になり、これにより、全身的送達に比べて、組成物の身体負担を低減することができる。従って、本願開示は、全身的送達及び局所的送達（例えば腫瘍又は線維症組織への送達）の両者のための製剤及び送達方法を提供する。
【０１４０】
リシル酸化酵素型酵素に対する抗体（又は任意の他のタイプのモジュレータ；例えばリシル酸化酵素型酵素の阻害剤、例えばリボソーム、ｓｉＲＮＡ、ｓｈＲＮＡ又はマイクロＲＮＡ）をコードする核酸は、任意的に、ウイルスベクターにキャプシド形成することができる。パルボウイルス、パポバウイルス、アデノウイルス、ヘルペスウイルス、ポックスウイルス、レトロウイルス及びレンチウイルスを含む多くのウイルスベクターが、当業界において既知である。
【実施例】
【０１４１】
実施例１：マウスの四塩化炭素誘発性肝線維症
【０１４２】
この実施例は、ＬＯＸ及びＬＯＸＬ２酵素の阻害剤である、β−アミノプロピオニトリル（ＢＡＰＮ）の効果、及び肝線維症のマウスモデルにおける特定のＬＯＸＬ２阻害剤（抗ＬＯＸＬ２モノクローナル抗体AB0023）の効果を示す。このモデルでは、雄性ＢＡＬＢ／ｃマウスは、四塩化炭素（ＣＣｌ４）が投与され、その結果、肝線維症が発症する。線維症の範囲及び重症度に対する阻害剤の効果が評価された。
【０１４３】
動物の管理
【０１４４】
動物は、１２時間の明暗サイクル（７ａｍ／７ｐｍ）で恒温室に収容され、実験の間、加圧滅菌水及び放射線照射実験用飼料に自由にアクセスできるようにした。動物は、耳標によって個別に同定（識別）され、実験の開始前に体重を計測した。
【０１４５】
実験計画
【０１４６】
実験開始時１０−１２週齢であった６５頭の雄性ＢＡＬＢ／ｃマウスを使用した。マウスは、夫々１５頭の４つの異なるグループに割り当てられた；これらの４つのグループの各グループのマウスは、１：１の割合でミネラルオイルに溶解されたＣＣｌ４（Sigma cat # 319961）が１ｍｌ／ｋｇで注射された。５頭のマウスからなる第５の対照グループは、類似の体積の生理食塩水＋ミネラルオイルが投与された。個々のマウスは、ＣＣｌ４処置の１週前から始めて週２回適切な化合物（ＢＡＰＮ、抗体又はビヒクル）が投与された。
【０１４７】
ＣＣｌ４投与の開始前１週に、処置グループ１及び２のマウスは、３０ｍｇ／ｋｇ（グループ１）又は１５ｍｇ／ｋｇ（グループ２）の用量のＡＢ００２３の腹腔内投与を受けた。モノクローナル抗体ＡＢ００２３により処置は、実験の終了まで、週２回続けられた。グループ３のマウスは、それらの飲料水中にて２ｍｇ／ｍｌのＢＡＰＮが投与されたが、これは、ＣＣｌ４投与前１週に開始され、その後、２日毎に水を交換しながら、週２回続けられた。更に、（ＢＡＰＮ処置された）グループ３のマウスは、グループ４及び５の全てのマウスと同様に、ビヒクルが（腹腔内に、週２回）投与された。
【０１４８】
グループ１、２、３及び４のマウスは、５週間火曜日と金曜日に１ｍｌ／ｋｇ体重のＣＣｌ４：ミネラルオイルが投与された。グループ５のマウスは、対照として利用され、１ｍｌ／ｋｇの０．９％生理食塩水：ミネラルオイルが投与された。全てのマウスに、ＣＣｌ４：ミネラルオイル又は生理食塩水：ミネラルオイルを腹腔内投与した。
【０１４９】
マウスは、抗体の第１回投与の前に（即ち、ＣＣｌ４処置の開始前１週に）、次いで、その後実験の継続中週２回体重を計測し、病的状態（morbidity）及び歩行異常（ambulatory discomfort）の臨床症状について毎日モニターした。
【０１５０】
４週のＣＣｌ４投与措置の完了後４日目（凡そ９６時間）に、生存マウスの体重を計測し、それらの活動レベルを観察し、それらの血液を心臓穿刺によって抽出して血清分離管に採取した。血清は、適切な、種々のバイオマーカーで分析した。次いで、マウスは、安楽死させ、肉眼的剖検（gross necropsy）を行った。
【０１５１】
個々のマウスから肝臓を摘出し、計量した。ＣＣｌ４処置グループの各々からは、生存マウスの５０％からの肝臓が１０％中性緩衝ホルマリンに固定された。これらのグループの残存するマウスからの肝臓は急速凍結した。対照グループ（グループ４（sic））の３頭のマウスからの肝臓は１０％ＮＥＢに固定した。このグループの残りの２頭のマウスからの肝臓は急速凍結した。
【０１５２】
上記の組織の摘出後、全てのグループからのマウスの残りは、１０％中性緩衝ホルマリンに固定した。コラーゲン架橋結合の減少及び間質細胞によるα平滑筋アクチンの発現の減少によって証明されるように、ＡＢ００２３によって処置されたマウスの肝臓において線維症が減少したことが、実験結果から示された。
【０１５３】
実施例２：コラーゲン誘発関節炎（ＣＩＡ）モデル系
【０１５４】
この実施例では、マウスモデル系におけるコラーゲン誘発関節炎の発生に対する抗ＬＯＸＬ２抗体ＡＢ００２３の効果が評価される。ＣＩＡに対する感受性が非常に大きいため、ＤＢＡ／１マウス系統が使用される。０日目に、全てのマウスが、０．１ｍｌの２型コラーゲン／完全フロインドアジュバント（ＣＦＡ）エマルジョン中の２００μｇのコラーゲンの尾部皮内注射を受ける。注射の部位は、尾部の基部から尾側に凡そ１ｃｍの距離のところである。（マウス当り２００μｇの）コラーゲンチャレンジ（投与）は、２１日目にＰＢＳ中のコラーゲンの腹腔内注射によって与えられる。
【０１５５】
何れも平均体重の±２０％内にある、６−８週齢の、雄性ＤＢＡ／１マウスが、無作為に３つの処置グループの何れか１つに割り当てられる。グループ１は、ビヒクル対照グループ（ｎ＝１３）である。このグループのマウスは、０日目から、週２回、１０ｍｌ／ｋｇのビヒクル（ＰＢＳ）を、腹腔内（ＩＰ）に、投与される。グループ２のマウスは、陽性対照グループ（ｎ＝１０）であり、０日目から、１日１回、１ｍｇ／ｋｇのデキサメタゾン（エタノールに処方され、必要に応じＰＢＳで希釈された、保存液）を１０ｍｌ／ｋｇで、ＩＰに、投与される。グループ３（ｎ＝１０）のマウスは、０日目から、週２回、３０ｍｇ／ｋｇの抗ＬＯＸＬ２抗体ＡＢ００２３を１０ｍｌ／ｋｇで、ＩＰに、投与される。実験は４２日目に終了し、全ての残存するマウスをＣＯ２吸入後、頚部脱臼によって安楽死させる。
【０１５６】
マウスは、０日目と１８日目に、その後実験が完了するまで週３回、末梢関節における関節炎誘発性反応の徴候について検査する。関節炎反応は、以下のように、各足毎に、重症度が大きくなる順に等級付けられる：
等級０：無反応、正常
等級１：足首（足関節）及び／又は手首（手関節）における軽度であるが明確な発赤及び腫脹；又は（発症した指の数に拘わらず）個々の指に限定された明らかな発赤
等級２：足首（足関節）及び／又は手首（手関節）における中度から重度の発赤及び腫脹
等級３：指を含む、足全体の発赤及び腫脹
等級４：多関節の併発を伴う最大限に炎症が生じた肢
【０１５７】
臨床試験は、０日目、１８日目、及びその後週３回実施される。観察は、皮膚、下毛、眼、粘膜における変化、分泌物及び排泄物（例えば、下痢）の発生、及び自律（神経）性活動（例えば流涙、唾液分泌、立毛、瞳孔サイズ、異常な呼吸パターン）（の観察）を含む。歩調、姿勢、取り使いに対する反応における変化、並びに、異様な挙動、振戦、痙攣、睡眠及び昏睡にも注目する。
【０１５８】
マウスは、０日目の尾部注射の直前に計量し、１８日目にも再び計量し、その後、実験が終結するまで週３回計量する。
【０１５９】
実験的関節炎の指標として、両方の後足の太さが、０日目、１８日目、及びその後週３回測定される。左右の足は、ダイヤルキャリパー（Kroeplin、ミュンヘン、ドイツ）を用いて、丁度つま先の上かつ踵骨の下において背側から腹側に向って測定される。
【０１６０】
実験の終了時、即ち４２日目に、全ての残存（生存）するマウスから足を切除し、その足は皮を剥ぎ取って急速凍結する。薄切片をＨ＆Ｅ染色によって組織学的に分析し、ＣＤ３１及びフォンヴィルブランド因子（両方の内皮マーカー）に対し及びα平滑筋アクチン（線維芽細胞活性化のマーカー）に対し免疫組織化学的に分析する。
【０１６１】
このＣＩＡモデルの別のバージョンでは、マウスには、尾部に初期コラーゲン注射を施すが、２１日目のコラーゲンチャレンジは実施しない。更なるバリエーションでは、抗体によるマウスの処置は、マウスの５０％が疾患の臨床的徴候を示すか１７日目の何れか早い方が到来するまで開始されない。
【０１６２】
観察された任意の効果の有意性（顕性）を決定するためのデータの評価は、主として、ＡＮＯＶＡの後にＴｕｋｅｙ事後（post-hoc）分析（Winsat 2005.1 for Excel）による、関節炎スコア、体重、及び足太さ測定（これらについては全て既述した）について平均グループ値の対比に基づく。
【０１６３】
実施例３：ヌードマウスにおけるＭＤＡ−ＭＢ４３５−ＧＦＰ腫瘍細胞の外科的同所（正位）移植（ＳＯＩ）−第１実験
【０１６４】
この実施例は、乳房腫瘍モデルにおける抗ＬＯＸＬ２モノクローナル抗体ＡＢ００２３の効果を示す。このモデル系、即ち、ＭＤＡ−ＭＢ−４３５−ＧＦＰ細胞（Caliper Life Sciences, Hopkinton, MA）では、緑色蛍光タンパク質をコードする遺伝子で安定的に形質移入されたヒト乳癌細胞株の誘導体が、乳房脂肪体への外科的同所移植（ＳＯＩ）によって雌性ヌードマウスに導入される。腫瘍形成及び転移が蛍光イメージングによってモニターされる。
【０１６５】
５−６週齢の、凡そ６０頭の雌性ヌードマウス（ＮＣｒ ｎｕ／ｎｕ）に１００ｍｇ／ｋｇケタミンと５ｍｇ／ｋｇキシラジンの溶液の腹腔内注射で麻酔をした。麻酔状態において、ＭＤＡ−ＭＢ−４３５−ＧＦＰ腫瘍細胞を、縫合によって、乳房脂肪体へ外科的に移植した。
【０１６６】
移植後、マウスは腫瘍発達についてモニターした。実験個体群における平均腫瘍サイズが７５ｍｍ３に達したとき、マウスを、表１に示すように、複数の処置グループに組分けし、処置を開始した。処置グループは、各グループが全範囲の腫瘍サイズ（各グループの平均サイズは７５ｍｍ３）を含むように構成された。各グループは１５頭のマウスを含み、全ての投与は腹腔内で行われたが、タキソテールは静脈内投与した。
【０１６７】
腫瘍形成は、ＦｌｕｏｒＶｉｖｏイメージングシステム（Indec BioSystems, Santa Clara, CA）を用いて、ＧＦＰ ＦＯＴＩ（蛍光光学腫瘍イメージング）によって、毎週モニターした。体重は週１回測定した。
【０１６８】
表１
2013502589.tif 000003
【０１６９】
２８日目に、マウスを殺処分した。血液を心穿刺によって採取し、１ｍｌを血清の調製に使用した。剖検の際、原発性乳房腫瘍を切除し、計量した。肺、リンパ節及びその他の部位への転移について試験するために、胸腔及び腹腔のオープン（open）蛍光イメージングを行った。どの転移も採取した。腫瘍及び転移を二分し、各半部に腫瘍が等しく現れるようにした。各腫瘍又は器官の一方の半部をパラホルムアルデヒドに固定し、組織学的分析のために（複数の）パラフィンブロックに包埋した。他方の半部はＲＮＡ単離のために急速凍結した。
【０１７０】
ＡＢ００２３抗体で処置したマウスにおいて平均腫瘍体積が減少したことが、結果から明かとなった。
【０１７１】
実施例４：ヌードマウスにおけるＭＤＡ−ＭＢ４３５−ＧＦＰ腫瘍細胞の外科的同所（正位）移植（ＳＯＩ）−第２実験
【０１７２】
この実施例は、マウスモデル系における抗ＬＯＸＬ２抗体ＡＢ００２３の効果を示す。緑色蛍光タンパク質（ＧＦＰ）をコードする遺伝子で安定的に形質移入された、細胞株ＭＤＡ−ＭＢ４３５からのヒト乳癌細胞が、５−６週齢の雌性ＮＣｒ ｎｕ／ｎｕマウス（MetaMouse（登録商標）, AntiCancer, Inc., San Diego, CA）に導入された。移植後、マウスを腫瘍発生についてモニターした。実験的個体群における腫瘍サイズが７５ｍｍ３に達したとき、マウスを、表２に示すように、複数の処置グループに組分けし、処置を開始した。処置グループは、各グループが全範囲の腫瘍サイズ（各グループの平均サイズは７５ｍｍ３）を含むように構成された。各グループは１５頭のマウスを含み、全ての投与は腹腔内で行われたが、タキソテールは静脈内投与した。
【０１７３】
表２
2013502589.tif 000004
【０１７４】
処置の経過中、マウスは、ＦｌｕｏｒＶｉｖｏイメージングシステム（Indec BioSystems, Santa Clara, CA）を用いて、ＧＦＰ ＦＯＴＩ（蛍光光学腫瘍イメージング）によって、週１回モニターした。体重は週１回測定した。
【０１７５】
実験は、処置の開始後６週目（即ち、抗体又は化学療法剤の最初の投与の６週後）又は個体群の平均腫瘍サイズが２，０００ｍｍ３になったときの何れか早い方が到来したときに終了するよう計画された。実験の終了時に、心穿刺によって血液を採取し、１ｍｌを血清の調製のために使用した。
【０１７６】
剖検の際、原発性（乳房）腫瘍を切除して計量し、とりわけ肺及びリンパ節への転移の証拠を得るために、胸腔及び腹腔を視覚的に検査した。（ＧＦＰ蛍光法によって証明された）転移腫瘍細胞を含む器官は何れも採取した。腫瘍及び転移を有する器官を二分し、各半部に腫瘍が等しく現れるようにした。各腫瘍又は器官の一方の半部をパラホルムアルデヒドに固定し、組織学的分析のために（複数の）パラフィンブロックに包埋した。他方の半部はＲＮＡ単離のために急速凍結した。
【０１７７】
処置の効果は、体重及び腫瘍体積に対するそれらの効果に基づいて評価し、スチューデントのｔ検定を用いて統計分析に供した。ＡＢ００２３抗体で処置したマウスにおいて平均腫瘍体積が減少したことが、結果から示された。何れかの剤単独で処置したマウスと比べると、ＡＢ００２３とタキソテールの両方で処置したマウスは、腫瘍体積においては有意差を示さなかったが、それらの腫瘍はより大きい程度の自己貪食細胞死を示した。
【０１７８】
実施例５：乳房腫瘍転移モデル系
【０１７９】
この実施例は、乳房腫瘍転移モデルにおける抗ＬＯＸＬ２モノクローナル抗体ＡＢ００２３の効果を示す。このモデル系、即ち、ＭＤＡ−ＭＢ−２３１−ｌｕｃ−Ｄ３Ｈ２ＬＮ細胞（Caliper Life Sciences, Hopkinton, MA）では、ルシフェラーゼ遺伝子で安定的に形質移入されたヒト乳癌細胞株の誘導体が、心臓内注射によって雌性ヌードマウスに導入された。細胞は循環（血行）によって播種され、転移の発生及び位置はインビボ生物発光イメージング（ＢＬＩ）によって決定される。
【０１８０】
８−１０週齢の、凡そ８０頭の雌性ヌードマウス（ＮＣｒ ｎｕ／ｎｕ）に１００ｍｇ／ｋｇケタミンと５ｍｇ／ｋｇキシラジンの溶液の腹腔内注射で麻酔をした。麻酔状態において、１×１０５個のＭＤＡ−ＭＢ−２３１−ｌｕｃ−Ｄ３Ｈ２ＬＮ腫瘍細胞を、５０μｌの体積で、Arguello et al.(1992) Cancer Research 52:2304-2309の方法に応じて、左心室に注射した。注射したマウスは直ちに左心室注射を確認するためイメージングを行った。全身及び肺投射（projection）からの生物発光が、１秒当りの光子数として測定され、表された。肺発光に対する全身発光の比率が３未満であるとき、そのマウスは実験から除外された。
【０１８１】
腫瘍細胞の投与後、表３に示すような複数の処置グループにマウスを組分けした。すべてのグループは１８頭のマウスを当初含んでいたが、グループ５は８頭のマウスを当初含んでいた。投与は、腹腔内注射（但し、タキソールは静脈内注射）によって行い、０日目に開始した。
【０１８２】
表３
2013502589.tif 000005
【０１８３】
マウスの腹部及び背部画像は、ＩＶＩＳ（登録商標）−スペクトルイメージングシステム（Caliper Life Sciences, Hopkinton, MA）を用いて、０、７、１０、１３、１６、２１、２４及び２８日目にインビボ生物発光イメージング（ＢＬＩ）によって得た。Ｌｉｖｉｎｇ Ｉｍａｇｅ ３．０ソフトウェア（Caliper Life Sciences, Hopkinton, MA）を用いて、データを分析した。
【０１８４】
体重は、実験の最初の２週間は週１回測定し、その後、実験の終了まで週３回測定した。
【０１８５】
２８日目に、インビボＢＬＩの後に、生存マウスを安楽死させ、転移を示す部位（大腿骨、脳、脊椎及び肺を含む）を切り取り出し、エクスビボで撮像（イメージング）した。
【０１８６】
イメージング後、組織は組織学的及び免疫組織化学的分析のために急速凍結した。これらの分析は、Ｈ＆Ｅ染色、コラーゲンのためのシリウスレッド染色、及び、ＬＯＸＬ２、Ｉ型コラーゲン、α平滑筋アクチン及びＣＤ３１のための免疫組織化学的検査を含む。
【０１８７】
データ分析
【０１８８】
骨（主に大腿骨及び脊椎）、軟組織（主に肺及び脳）における生物発光並びに全身生物発光が検出され、プロットされ、２つの主要因子として時間及び処置を用いて、二元配置（two-way）ＡＮＯＶＡによって分析した。
【０１８９】
結果
【０１９０】
２８日後、大腿骨及び全腹部骨において、腫瘍細胞量（負荷）の顕著な（有意な）減少が、抗ＬＯＸＬ２抗体ＡＢ００２３で処置したマウスに観察された（大腿骨では、中央値で１２７倍、ｐ＝０．００２１；全腹部骨では中央値で２８倍、ｐ＝０．０１９７）。腫瘍細胞注入マウスの抗ＬＯＸ抗体処置は、そのような効果を示さなかった。
【０１９１】
ビヒクル処置マウスと比べると、ＡＢ００２３とタキソールの両方で処置したマウスにおいて生存優位性が観察されたが、これらの何れか一方単独で処置したマウスではそのような生存優位性は観察されなかった。
【０１９２】
実施例６：皮下異種移植モデル：ＨＴ２９−ＨＦＦ同時注入アッセイ
【０１９３】
実験的腫瘍は、ＨＴ２９細胞とＨＦＦを、１：１の割合で、マウスの側腹部に移植することにより誘発される。６−７週齢の雌性ＮＣｒ：ｎｕ／ｎｕマウスが、表４に記載された１４の実験グループにおいて試験される。各グループは１５頭のマウスを含む。マウスは、抗ＬＯＸＬ２抗体（ＡＢ００２３）で週２回処置されるが、該抗体は、単独で、又は、２つの化学療法剤（ソラフェニブは毎日又は５−フルオロウラシルは毎週）の一方との組合せで使用される。マウスのグループ（複数）は、対比のために、該２つの化学療法剤の各々単独でも処置される。最終グループは、ＡＢ００２４抗体、即ち、ＡＢ００２３のヒト化バージョンで処置される。
【０１９４】
ヒト包皮線維芽細胞（ＨＦＦ）及びヒト結腸（colon）線癌ＨＴ２９細胞は、標準的な組織培養技術（ＤＭＥＭ培地＋１０％ＦＢＳ、Ｐｅｎ−Ｓｔｒｅｐ（ペニシリン−ストレプトマイシン）補充、３７℃、５％ＣＯ２）を用いて、培地中で増殖させる。注入の当日（０日目）に、細胞をトリプシン処理し、ＨＢＳＳ＋１％ＦＢＳで洗浄し、次いで、ＨＢＳＳで２回洗浄する。細胞を計数し、ＨＢＳＳ＋０．０４％ＤＮａｓｅＩ中に再懸濁する。マウスに、１×１０６ＨＴ２９細胞及び１×１０６ＨＦＦを０．１ｍｌ体積で同時注入する。
【０１９５】
表４
2013502589.tif 000006
【０１９６】
体重及び腫瘍増殖は週２回モニターする。腫瘍増殖はデジタルキャリパーで測定し、触知可能な腫瘍量は、ＮＩＨ勧告に従い、以下の式を用いて計算する：
触知可能な腫瘍量（ｍｍ３）＝（ｄ２×Ｄ）／２
上式において、ｄ及びＤは夫々腫瘍の最小径及び最大径（ｍｍ）である。
【０１９７】
実験は同時注入の６週後に終了する；但し、特定のグループにおける平均腫瘍が１，８００ｍｍ３に達する場合、そのグループについては、実験はその時点で終了する。終了時、血清の調製のために採血する。マウスを安楽死させ、肉眼的試験（gross examination）を行う。腫瘍を採取し、測定し、計量する。そして、組織学的及び免疫組織化学的分析のために急速凍結する。異常又は目視可能な転移を注視し、取出し、更なる分析のために凍結する。
【０１９８】
抗ＬＯＸＬ２抗体で処置したマウスは、平均腫瘍増殖の減少について検査する。
【０１９９】
実施例７：ブレオマイシン誘発肺線維症
【０２００】
雄性Ｃ５７Ｂ／Ｌ６マウスを、抗ＬＯＸＬ２抗体ＡＢ００２３で前処置し、次いで、ブレオマイシンの口腔咽頭投与によって肺線維症を誘発した。
【０２０１】
ブレオマイシンの投与の４日前（−４日目）とブレオマイシン投与の１日前（−１日目）において、ＡＢ００２３（又はビヒクル）による２回の前処置を実行した。実験の０日目に、グループ２及び３のマウスを麻酔し、上顎切歯の下方を通したゴムバンドによって凡そ６０℃の角度でそれらの背中で吊した。クッション付のピンセットの一方の柄で舌を保持し、これによって気道を開けた。７５μｌのブレオマイシンをピペットで口腔の奥に注入し、液体が口の中で見えなくなるまで舌と口を開けた状態に維持した。
【０２０２】
次いで、表５に示したスケジュールに応じてマウスを処置した。抗体の投与は腹腔内注射によって行った。グループ１は５頭のマウスを含んでいた；他のグループはすべて夫々８頭のマウスを含んでいた。体重は週２回測定し、マウスは毎日観察した。
【０２０３】
表５
2013502589.tif 000007
【０２０４】
実験は１４日目に終了した。マウスを安楽死させ、血清調製のために心穿刺により採血した。内臓器官を露出し、異常がないか検査した。肺を摘出し計量した。気管支肺胞（上皮）洗浄（ＢＡＬ）液を、２ｍｌハンクス平衡塩類溶液＋５％ＦＢＳによって肺を洗浄することによって採取した。そして、肺は、後の組織学的及び免疫組織化学的分析のために急速凍結した。
【０２０５】
ＢＡＬ液を５分間遠心分離（１，０００ｒｐｍ、４℃）し、上清を凍結した。ペレット状の細胞の一部を取り出し、Ｃｙｔｏｓｐｉｎ（Thermo Scientific, Waltham, MA）で遠心分離し、Ｇｉｅｍｓａ／Ｍａｙ−Ｇｒｕｎｗａｌｄ染色キット（American Master Technology）を用いてギムザ染色した。ギムザ染色試料で白血球百分率（differential white blood cell counts）を行った。残余の細胞は、赤血球溶解（lysis）用に２ｍｌの１×Ｐｈａｒｍａｌｙｓｅ緩衝液（BD Biosciences, San Jose, CA）に懸濁した。溶解（lysis）は、ＰＢＳ＋２％ＦＢＳの添加により終了し、次いで、遠心分離した。ペレットを再懸濁し、白血球を、血球計数器を用いたトリパンブルー色素排除により計数した。
【０２０６】
平均白血球数についての気管支肺胞（上皮）洗浄液の分析により以下の結果が得られた：
グループ１      ブレオマイシン無し              〜５０，０００
グループ２      ブレオマイシン＋ビヒクル        〜３５０，０００
グループ３      ブレオマイシン＋ＡＢ００２３    〜１００，０００
【０２０７】
実施例８：ヌードマウスにおける膵臓腫瘍細胞の外科的同所移植（ＳＯＩ）
【０２０８】
この実施例は、膵臓腫瘍モデルにおける抗ＬＯＸＬ２モノクローナル抗体ＡＢ００２３の効果を示す。このモデル系では、緑色蛍光タンパク質（ＧＦＰ）をコードする遺伝子で安定的に形質移入された、膵臓腫瘍に由来する細胞株であるＢｘＰＣ−３細胞が、外科的同所移植（ＳＯＩ）によって、雌性ヌードマウスに導入される。腫瘍形成及び転移は、蛍光イメージングによってモニターされる。
【０２０９】
５−６週齢の凡そ７５頭の雌性ヌードマウス（ＮＣｒ ｎｕ／ｎｕ）は、１００ｍｇ／ｋｇケタミンと５ｍｇ／ｋｇキシラジンの溶液の腹腔内注射によって麻酔される。麻酔状態で、ＢｘＰＣ−３−ＧＦＰ腫瘍細胞は、膵臓に縫合することによって、外科的に移植される。移植後、マウスは、ＦｌｕｏｒＶｉｖｏイメージングシステム（Indec BioSystems, Santa Clara, CA）を用いたＧＦＰ ＦＯＴＩ（蛍光光学腫瘍イメージング）によって腫瘍発生についてモニターされる。実験的個体群における平均腫瘍サイズが７５ｍｍ３に達したら、表６に示されるように、マウスを複数の処置グループに組分けし、処置を開始する。処置グループは、各グループが腫瘍サイズの全範囲（各グループの平均サイズは７５ｍｍ３）を含むように構成される。各グループは１５頭のマウスを含み、投与は全て腹腔内で行われる。
【０２１０】
表６
2013502589.tif 000008
【０２１１】
処置の経過中、マウスは、ＦｌｕｏｒＶｉｖｏイメージングシステム（Indec BioSystems, Santa Clara, CA）を用いたＧＦＰ ＦＯＴＩ（蛍光光学腫瘍イメージング）によって週１回モニターされる。体重は週１回測定される。
【０２１２】
実験は、処置の開始後６週目（即ち、抗体又は化学療法剤の初回投与の６週後）又は個体群の平均腫瘍サイズが２，０００ｍｍ３になるときの何れか早い方が到来するときに終了するよう計画される。実験の終了時に、心穿刺によって採血し、１ｍｌを血清の調製のために使用する。
【０２１３】
剖検の際、原発性腫瘍を切除して計量し、転移の証拠を得るために、胸腔及び腹腔を視覚的に検査する。（ＧＦＰ蛍光法によって証明される）転移腫瘍細胞を含む器官は何れも採取する。腫瘍及び転移を有する器官を二分し、各半部に腫瘍が等しく現れるようにする。各腫瘍又は器官の一方の半部をパラホルムアルデヒドに固定し、組織学的分析のために（複数の）パラフィンブロックに包埋する。他方の半部はＲＮＡ単離のために急速凍結する。
【０２１４】
処置の効果は、体重及び腫瘍体積に対するそれらの効果に基づいて評価し、スチューデントのｔ検定を用いて統計分析に供した。ＡＢ００２３抗体又はジェムザール（Gemzar）で処置したマウスにおいて平均腫瘍体積が減少したが、これらの両方で処置したマウスでは更に減少したことが、結果から示された。
【０２１５】
実施例９：膵臓腫瘍異種移植モデル系
【０２１６】
この実施例では、抗ＬＯＸＬ２モノクローナル抗体ＡＢ００２３及びそのヒト化誘導体ＡＢ００２４の効果が、膵臓腫瘍モデル系における他の幾つかの抗悪性腫瘍剤の効果と対比される。
【０２１７】
膵臓腫瘍細胞株であるＢｘＰＣ３細胞（ATCC, Manassas, VA）は、組織培養物中で増殖され、次いで、洗浄され、１：１ｖ／ｖマトリゲルの無血清培地に再懸濁される。凡そ１×１０７個のＢｘＰＣ３細胞が、側腹部への皮下注射によって、４−６週齢の雄性胸腺欠損（ｎｕ／ｎｕ）マウスに投与される。
【０２１８】
腫瘍体積がモニターされ、以下の式によって計算される：
腫瘍体積＝（ａ２×ｂ）／２
上式において、「ａ」は最小径、「ｂ」は最大径である。樹立した腫瘍が１００ｍｍ３に達すると、マウスを無作為に抽出し、複数の処置グループ（各グループに１５頭）に割り振り、同日（１日目）に処置する。マウスは、表７に示されるように処置する。投与は全て腹腔内（ＩＰ）で行うが、エルロチニブ（Erlotinib）はＰＯで投与する。腫瘍のサイズが２０００ｍｍ３になり、マウスが瀕死状態にあるか、或いは、マウスの体重が２０％を超えて減少していれば、（ＣＯ２吸入によって）安楽死させる。
【０２１９】
表７
2013502589.tif 000009
【０２２０】
体重は、処置の初日に開始し実験が終了する日まで、週２回測定する。腫瘍サイズは、週２回電子キャリパーで測定する。
【０２２１】
実験の終了時（６週）、各マウスをＣＯ２吸引で安楽死させる。心穿刺（致死（末期）出血：terminal bleed）によって採血する。サンプルをＫ２ＥＤＴＡ管に採取し、氷上に置く。採血から３０分以内に、血漿採取のために、凡そ２，０００ｒｐｍ、凡そ１０分間の遠心分離によって、サンプルを処理する。血液の細胞画分を廃棄し、血漿サンプルを−８０℃で保存する。
【０２２２】
腫瘍を回収し、分析のために液体窒素で急速凍結する。抗ＬＯＸＬ２抗体で処置したマウスは、平均腫瘍体積の減少について検査される。
【０２２３】
実施例１０：卵巣腫瘍異種移植モデル系
【０２２４】
この実施例では、抗ＬＯＸＬ２モノクローナル抗体ＡＢ００２３及びそのヒト化誘導体ＡＢ００２４の効果が、卵巣腫瘍モデル系における他の幾つかの抗悪性腫瘍剤の効果と対比される。
【０２２５】
卵巣腫瘍細胞株であるＳＫＯＶ３細胞（ATCC, Manassas, VA）は、組織培養物中で増殖され、次いで、洗浄され、１：１ｖ／ｖマトリゲルの無血清培地に再懸濁される。凡そ５×１０６個のＳＫＯＶ３細胞が、側腹部への皮下注射によって、４−６週齢の雌性胸腺欠損（ｎｕ／ｎｕ）マウスに投与される。
【０２２６】
腫瘍体積がモニターされ、以下の式によって計算される：
腫瘍体積＝（ａ２×ｂ）／２
上式において、「ａ」は最小径、「ｂ」は最大径である。樹立した腫瘍が１００ｍｍ３に達すると、マウスを無作為に抽出し、複数の処置グループ（各グループに１５頭）に割り振り、同日（１日目）に処置する。マウスは、表８に示されるように処置する。投与は全て腹腔内で（ＩＰ）行う。腫瘍のサイズが２０００ｍｍ３になり、マウスが瀕死状態にあるか、或いは、マウスの体重が２０％を超えて減少していれば、（ＣＯ２吸入によって）安楽死させる。
【０２２７】
表８
2013502589.tif 000010
【０２２８】
体重は、処置の初日に開始し実験が終了する日まで、週２回測定する。腫瘍サイズは、週２回電子キャリパーで測定する。
【０２２９】
実験の終了時（６週）、各マウスをＣＯ２吸引で安楽死させる。採血は、心穿刺（致死（末期）出血：terminal bleed）によって行う。サンプルをＫ２ＥＤＴＡ管に採取し、氷上に置く。採血から３０分以内に、血漿採取のために、凡そ２，０００ｒｐｍ、凡そ１０分間の遠心分離によって、サンプルを処理する。血液の細胞画分を廃棄し、血漿サンプルを−８０℃で保存する。
【０２３０】
腫瘍を回収し、分析のために液体窒素で急速凍結する。抗ＬＯＸＬ２抗体で処置したマウスは、平均腫瘍体積の減少について検査される。
【０２３１】
実施例１１：異なる腫瘍細胞株の異種移植後の線維形成（desmoplasia）の分析
【０２３２】
この実施例では、４つのタイプの培養腫瘍細胞が、胸腺欠損（ヌード）雌性マウスの側腹部及び乳房脂肪体の何れか一方に移植され、発生に対する抗ＬＯＸＬ２抗体の効果及び線維形成（desmoplasia）の程度が分析される。
【０２３３】
ＭｉａＰａＣａ２、Ａ５４９、ＯＶＣＡＲ３及びＳＫＯＶ３細胞株は、ＡＴＣＣ（Manassas, VA）から入手する。細胞は、組織培養物中で増殖し、回収し、洗浄し、１：１ｖ／ｖマトリゲルの無血清培地に再懸濁し、注入の準備に備える。各マウスは、乳房脂肪体及び側腹部において、２１Ｇニードル及びシリンジを用いて、各細胞タイプの５×１０６個の接種菌液で各部位に接種する。
【０２３４】
腫瘍体積をモニターし、以下の式により計算する：
腫瘍体積＝（Ｌ×Ｗ×Ｈ／２）
上式において、「Ｌ」は長さ、「Ｗ」は幅、「Ｈ」は高さである。樹立した腫瘍が１００ｍｍ３になると、マウスを無作為に抽出し、複数の処置グループ（各グループに５頭）に割り振り、同日（１日目）に処置する。マウスは、表９に示すように処置する。ＡＢ００２３の投与は全て、抗体の１０ｍｇ／ｋｇ製剤の腹腔内（ＩＰ）投与によって行う。腫瘍のサイズが２０００ｍｍ３になるか、マウスが瀕死状態にあるか、或いは、マウスの体重が２０％を超えて減少していれば、（ＣＯ２吸入によって）安楽死させる。
【０２３５】
表９
2013502589.tif 000011
【０２３６】
体重は、処置の初日に開始し実験が終了する日まで、週２回測定する。腫瘍サイズは、週３回電子キャリパーで測定する。
【０２３７】
実験の終了時、各マウスを安楽死させ、腫瘍、並びに大腿骨及び／又は肺の何れの転移も分析のために採取する。各半部に腫瘍が等しく現れるようにするために、腫瘍及び何れかの転移器官は対称的に二分する。各腫瘍及び各器官の一方の半部はホルマリンに固定し、腫瘍及び任意の転移器官の他方の半部はＯＣＴにおいて凍結する。腫瘍及び周囲の組織は、例えば（免疫組織化学的に又はシリウスレッド試薬を用いる）Ｉ型コラーゲンのための染色法及び／又はα平滑筋アクチンのための免疫組織化学的染色法によって、線維形成について分析される。
【０２３８】
採血は、心穿刺（致死（末期）出血：terminal bleed）によって行い、血漿採取のために処理する。
【０２３９】
抗ＬＯＸＬ２抗体で処置したマウスは、線維形成の減少について検査される。
【０２４０】
実施例１２：線維芽細胞活性化のマーカー
【０２４１】
表１０に記載した因子は、線維芽細胞活性化の例示的なマーカーである。
【０２４２】
表１０
因子                                    コメント
ＶＥＧＦ                                確認された腫瘍血管新生／治療剤
ＰＤＧＦＣ                              抗ＶＥＧＦ耐性の機序の部分として
提案された
ＳＤＦ−１／ＣＸＣＬ１２                乳癌におけるレセプターＣＸＣＲ４関与
ＧＣＳＦ                                抗ＶＥＧＦ耐性（転移）の機序の部分
として提案された
Ｐ１ＧＦ                                抗ＶＥＧＦ耐性の代替療法として
提案された
ＧＭ−ＣＳＦ                            
ｂＦＧＦ／ＦＧＦ２                      強力な血管新生（試験における抗ＦＧＦ
シグナル伝達治療剤）
ＨＧＦ                                  
ＥＧＦ                                  
ＭＭＰ９                                ＭＣＦ７−ＬＯＸＬ２を介した
転写（物）誘発
ＴＧＦｂ                                
ＭＣＰ−１／ＣＣＬ２                    ＴＡＭであるがＴＡＦでもある
ＯＰＮ／ＳＰＰ１                        腫瘍内皮細胞マーカー
ＣＣＬ５／ＲＡＮＴＥＳ                  
ＴＧＦ−１                              
ＣＴＧＦ                                
ＣＣＬ５                                間葉系幹細胞における分泌は乳癌細胞
刺激される
ＦＡＰ                                  活性化線維芽細胞表面タンパク質
＊非分泌＊
ＦＳＰ−１／Ｓ１００Ａ                  活性化線維芽細胞表面タンパク質
＊非分泌＊
エンドシアリン／ＴＥＭ１（ＣＤ２４８）  腫瘍間質及び内皮における差次的発現
ＥＣＭと相互作用すると考えられる
【０２４３】
実施例１３：マトリゲルプラグアッセイ
【０２４４】
脈管形成に対する抗ＬＯＸＬ２抗体ＡＢ００２３の効果をインビボマウスモデル系で試験した。胸腺欠損雌性Ｎｃｒ：Ｎｕ／Ｎｕマウスは、週２回の腹腔内注射による抗体（３０ｍｇ／ｋｇ）又はビヒクル（ＰＢＳＴ）で前処置した。抗体（又はビヒクル）の初回注入の１週後、マウスの側腹部に、１００ｎｇ／ｍｌ線維芽細胞増殖因子（ＦＧＦ）及び６０Ｕヘパリンを補充した高濃度マトリゲル（BD Biosciences, San Jose, CA）５００μｌを皮下注射した。マトリゲルプラグは、移植の１０日後に、プラグを切除することにより、付着した皮膚と共に、回収した。プラグは、１０％中性緩衝ホルマリンに固定し、パラフィンに包埋した。５μｍの切片（複数）を切り取り、ヘマトキシリン及びエオシンで染色するか、又は抗ＣＤ３１又は抗ＣＤ３４抗体を用いて免疫組織化学的に分析して血管形成の程度を評価し、シグナルを定量化した。
【０２４５】
結果は、ビヒクル処置マウスから単離したプラグはＣＤ３１陽性細胞と関連する浸潤かつ分枝する脈管構造の証拠を含んでいたのに対し、腹腔内注射によりＡＢ００２３で処置したマウスから単離したプラグは形成された脈管構造についての限られた証拠と遥かにより少ないＣＤ３１陽性細胞を示したことを示している。浸潤性内皮細胞によるＬＯＸＬ２発現はＩＨＣによって確認された。種々異なるプラグからの血管の平均数の定量分析は、ＡＢ００２３処置マウスについて〜７倍の減少をもたらした（ｐ＝０．０３１９）。マトリゲルプラグ中のＣＤ３１陽性細胞を定量する別個の分析により、ＡＢ００２３処置マウスにおいて顕著に（有意に）減少することも明らかになった（ｐ＝０．０１６８）。これらの結果は、分泌型ＬＯＸＬ２は血管新生の種々の側面において重要な役割を有すること、及び、血管新生はインビトロ及びインビボの何れにおいてもＡＢ００２３によって直接的に阻害されることを示している。
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
被験者の線維症の治療に使用するためのＬＯＸＬ２に特異的に結合する単離抗体であって、該治療は該抗体を該被験者に凡そ１、３、５、１５又は３０ｍｇ／ｋｇの用量で投与することにより、該線維症の症状を改善する（寛解する）ことを含む、単離抗体。
【請求項２】
前記線維症は肝線維症又は肺線維症である、請求項１の単離抗体。
【請求項３】
前記治療は前記被験者におけるコラーゲン架橋結合、間質細胞によるα平滑筋アクチンの発現又は肺白血球数の減少を引き起こす、請求項２の単離抗体。
【請求項４】
被験者の関節炎の治療に使用するためのＬＯＸＬ２に特異的に結合する単離抗体であって、該治療は該抗体を該被験者に凡そ１、３、５、１５又は３０ｍｇ／ｋｇの用量で投与することにより、該関節炎の症状を改善する（寛解する）ことを含む、単離抗体。
【請求項５】
被験者の腫瘍の治療に使用するためのＬＯＸＬ２に特異的に結合する単離抗体であって、
該治療は該抗体を該被験者に凡そ１、３、５、１５又は３０ｍｇ／ｋｇの用量で投与することにより、該腫瘍の症状を改善する（寛解する）ことを含み、及び
前記腫瘍は乳房腫瘍、膵臓腫瘍及び卵巣腫瘍からなる群から選択される、
単離抗体。
【請求項６】
前記治療は前記被験者における平均腫瘍体積又は線維形成を減少する、請求項５の単離抗体。
【請求項７】
前記治療は、更に、前記被験者に抗腫瘍剤又は化学療法剤を投与することを含む、請求項５の単離抗体。
【請求項８】
前記剤はタキソテール、タキソール、ソラフェニブ、ジェムザール及び５−フルオロウラシルからなる群から選択される、請求項７の単離抗体。
【請求項９】
前記抗体は週に２回投与される、請求項１〜８の何れかの単離抗体。
【請求項１０】
前記抗体は凡そ１ｍｇ／ｋｇの用量で投与される、請求項１〜９の何れかの単離抗体。
【請求項１１】
前記抗体は凡そ３ｍｇ／ｋｇの用量で投与される、請求項１〜９の何れかの単離抗体。
【請求項１２】
前記抗体は凡そ５ｍｇ／ｋｇの用量で投与される、請求項１〜９の何れかの単離抗体。
【請求項１３】
前記抗体は凡そ１５ｍｇ／ｋｇの用量で投与される、請求項１〜９の何れかの単離抗体。
【請求項１４】
前記抗体は凡そ３０ｍｇ／ｋｇの用量で投与される、請求項１〜９の何れかの単離抗体。
【手続補正２】
【補正対象書類名】明細書
【補正対象項目名】０００９
【補正方法】変更
【補正の内容】
【０００９】
本願において開示されているのは、この酵素の線維形成及び線維性活性の阻止に有効なＬＯＸＬ２の阻害剤を同定する種々のインビボアッセイの使用のための方法及び組成物である。従って、本願の開示は以下の形態を提供する：
１．  ＬＯＸＬ２活性の阻害剤を同定する方法であって、該方法は動物を試験分子で処置することを含み、該動物は１又は２以上の線維症の領域を含むこと、及び、線維症の症状を改善する（寛解する）試験分子がＬＯＸＬ２活性の阻害剤として同定されること
を特徴とする方法。
２．  前記線維症は肝線維症である、形態１の方法。
３．  前記線維症はＣＣｌ４処置によって誘発される、形態２の方法。
４．  前記線維症は肺線維症である、形態１の方法。
５．  前記線維症はブレオマイシンによる処置によって誘発される、形態４の方法。
６．  ＬＯＸＬ２活性の阻害剤を同定する方法であって、該方法は動物を試験分子で処置することを含み、該動物は１又は２以上の関節炎の領域を含むこと、及び、関節炎の症状を改善する（寛解する）試験分子がＬＯＸＬ２活性の阻害剤として同定されること
を特徴とする方法。
７．  前記関節炎はコラーゲンの注入によって誘発される、形態６の方法。
８．  ＬＯＸＬ２活性の阻害剤を同定する方法であって、該方法は動物を試験分子で処置することを含み、該動物は腫瘍細胞の外科的同所（正位）移植により生成される１又は２以上の実験的腫瘍を含むこと、及び、腫瘍体積を減少する試験分子がＬＯＸＬ２活性の阻害剤として同定されること
を特徴とする方法。
９．  前記腫瘍細胞はＭＤＡ−ＭＢ４３５細胞である、形態８の方法。
１０．  前記実験的腫瘍は肺腫瘍である、形態８の方法。
１１．  ＬＯＸＬ２活性の阻害剤を同定する方法であって、該方法は動物を試験分子で処置することを含み、該動物は腫瘍細胞の血管内注入により生成される実験的転移を含むこと、及び、転移の程度を減少する試験分子がＬＯＸＬ２活性の阻害剤として同定されること
を特徴とする方法。
１２．  前記腫瘍細胞はＭＤＡ−ＭＢ２３１細胞である、形態１１の方法。
１３．  ＬＯＸＬ２活性の阻害剤を同定する方法であって、該方法は動物を試験分子で処置することを含み、該動物は外来性基底膜を含むこと、及び、該外来性基底膜の脈管形成を減少する試験分子がＬＯＸＬ２活性の阻害剤として同定されること
を特徴とする方法。
１４．  前記外来性基底膜はマトリゲルを含む、形態１３の方法。
１５．  ＬＯＸＬ２活性の阻害剤を同定する方法であって、該方法は動物を試験分子で処置することを含み、該動物は１又は２以上の線維形成（desmoplasia）の領域を含むこと、及び、線維形成の症状を改善する（寛解する）試験分子がＬＯＸＬ２活性の阻害剤として同定されること
を特徴とする方法。
１６．  線維形成の症状の改善（寛解）はコラーゲン架橋結合の減少によって示される、形態１５の方法。
１７．  線維形成の症状の改善（寛解）はα−平滑筋アクチンの発現の減少によって示される、形態１５の方法。
１８．  前記試験分子はポリペプチドである、形態１、６、８、１１、１３又は１５の何れかの方法。
１９．  前記ポリペプチドは抗体である、形態１８の方法。
２０．  前記抗体は抗ＬＯＸＬ２抗体である、形態１９の方法。
２１．  前記試験分子は核酸である、形態１、６、８、１１、１３又は１５の何れかの方法。
２２．  前記核酸はｓｉＲＮＡである、形態２１の方法。
更に、以下の態様も好ましい：
１．被験者の線維症の治療に使用するためのＬＯＸＬ２に特異的に結合する単離抗体であって、該治療は該抗体を該被験者に凡そ１、３、５、１５又は３０ｍｇ／ｋｇの用量で投与することにより、該線維症の症状を改善する（寛解する）ことを含む、単離抗体。
２．前記線維症は肝線維症又は肺線維症である、態様１の単離抗体。
３．前記治療は前記被験者におけるコラーゲン架橋結合、間質細胞によるα平滑筋アクチンの発現又は肺白血球数の減少を引き起こす、態様２の単離抗体。
４．被験者の関節炎の治療に使用するためのＬＯＸＬ２に特異的に結合する単離抗体であって、該治療は該抗体を該被験者に凡そ１、３、５、１５又は３０ｍｇ／ｋｇの用量で投与することにより、該関節炎の症状を改善する（寛解する）ことを含む、単離抗体。
５．被験者の腫瘍の治療に使用するためのＬＯＸＬ２に特異的に結合する単離抗体であって、
該治療は該抗体を該被験者に凡そ１、３、５、１５又は３０ｍｇ／ｋｇの用量で投与することにより、該腫瘍の症状を改善する（寛解する）ことを含み、及び
前記腫瘍は乳房腫瘍、膵臓腫瘍及び卵巣腫瘍からなる群から選択される、
単離抗体。
６．前記治療は前記被験者における平均腫瘍体積又は線維形成を減少する、態様５の単離抗体。
７．前記治療は、更に、前記被験者に抗腫瘍剤又は化学療法剤を投与することを含む、態様５の単離抗体。
８．前記剤はタキソテール、タキソール、ソラフェニブ、ジェムザール及び５−フルオロウラシルからなる群から選択される、態様７の単離抗体。
９．前記抗体は週に２回投与される、態様１〜８の何れかの単離抗体。
１０．前記抗体は凡そ１ｍｇ／ｋｇの用量で投与される、態様１〜９の何れかの単離抗体。
１１．前記抗体は凡そ３ｍｇ／ｋｇの用量で投与される、態様１〜９の何れかの単離抗体。
１２．前記抗体は凡そ５ｍｇ／ｋｇの用量で投与される、態様１〜９の何れかの単離抗体。
１３．前記抗体は凡そ１５ｍｇ／ｋｇの用量で投与される、態様１〜９の何れかの単離抗体。
１４．前記抗体は凡そ３０ｍｇ／ｋｇの用量で投与される、態様１〜９の何れかの単離抗体。
【国際調査報告】
2013502589.tif 000012